(57)【要約】  フレキシブル帯域幅キャリアを利用するワイヤレス通信システムに対するモビリティ管理のための方法、システム、およびデバイスが提供される。いくつかの実施形態は、モビリティ管理を円滑にするためにフレキシブル帯域幅キャリアに対する帯域幅スケーリング係数の値に基づく周波数内および／または周波数間セット管理を含む。たとえば、ワイヤレス通信システムの１つまたは複数のセルが識別され得る。各それぞれの識別されたセルに関連付けられているそれぞれの帯域幅スケーリング係数が識別され得る。ユーザ機器は、複数のセットを決定するように構成され得る。各それぞれのセットはそれぞれの帯域幅スケーリング係数のうちの１つに関連付けられ得る。ユーザ機器は、各それぞれの識別されたセルをそれぞれの関連付けられている帯域幅スケーリング係数に基づきそれぞれのセットのうちの１つに関連付けるように構成され得る。
2014533069.tif 000002
【特許請求の範囲】
【請求項１】
ワイヤレス通信システムに対するモビリティ管理の方法であって、
前記ワイヤレス通信システムの１つまたは複数のセルを識別することと、
各それぞれの識別されたセルに関連付けられているそれぞれの帯域幅スケーリング係数を識別することと、
複数のセットを決定することであって、各それぞれのセットは前記それぞれの帯域幅スケーリング係数のうちの１つに関連付けられている、決定することと、
各それぞれの識別されたセルをそれぞれの関連付けられている帯域幅スケーリング係数に基づき前記それぞれのセットのうちの１つに関連付けることとを備える方法。
【請求項２】
前記複数のセット内から候補セルを決定することをさらに備える請求項１に記載の方法。
【請求項３】
前記複数のセット内から前記候補セルを決定することは、少なくとも１つのサービングセルＩＤ、中心周波数、またはそれぞれの帯域幅スケーリング係数を利用する請求項２に記載の方法。
【請求項４】
前記複数のセットに関して１つまたは複数のオフセットを利用して前記複数のセット内から前記候補セルを決定することをさらに備える請求項２に記載の方法。
【請求項５】
前記複数のセットに関して１つまたは複数のパワーオフセットを利用して前記複数のセット内から前記候補セルを決定することをさらに備える請求項４に記載の方法。
【請求項６】
前記複数のセットを決定することは、
複数のアクティブセットを決定することを備え、各それぞれのアクティブセットはそれぞれの帯域幅スケーリング係数に関連付けられる、請求項１に記載の方法。
【請求項７】
各それぞれのアクティブセットは、少なくとも１つのセルＩＤ、中心キャリア周波数、またはチャネル番号にさらに関連付けられる請求項６に記載の方法。
【請求項８】
複数の帯域幅スケーリング係数を決定することをさらに備え、各それぞれの帯域幅スケーリング係数はアクティブセットに関連付けられる請求項１に記載の方法。
【請求項９】
複数の帯域幅スケーリング係数に関連付けられている少なくとも１つのアクティブセットを決定することをさらに備える請求項１に記載の方法。
【請求項１０】
前記複数のセットを決定することは、
複数の仮想アクティブセットを決定することを備え、各それぞれの仮想アクティブセットはそれぞれの帯域幅スケーリング係数に関連付けられる請求項１に記載の方法。
【請求項１１】
複数の帯域幅スケーリング係数を決定することをさらに備え、各それぞれの帯域幅スケーリング係数は仮想アクティブセットに関連付けられる請求項１に記載の方法。
【請求項１２】
複数の帯域幅スケーリング係数に関連付けられている少なくとも１つの仮想アクティブセットを決定することをさらに備える請求項１に記載の方法。
【請求項１３】
前記複数のセットを決定することは、
１つまたは複数の監視もしくは候補セットを決定することを備え、各それぞれの監視もしくは候補セットはそれぞれの帯域幅スケーリング係数に関連付けられる請求項１に記載の方法。
【請求項１４】
複数の帯域幅スケーリング係数を決定することをさらに備え、各それぞれの帯域幅スケーリング係数は少なくとも１つの監視セットまたは候補セットに関連付けられる請求項１に記載の方法。
【請求項１５】
複数の帯域幅スケーリング係数に関連付けられている少なくとも監視セットまたは候補セットを決定することをさらに備える請求項１に記載の方法。
【請求項１６】
前記複数のセットを決定することは、
１つまたは複数の検出もしくはネイバーセットを決定することを備え、各それぞれの検出もしくはネイバーセットはそれぞれのスケーリング係数に関連付けられる請求項１に記載の方法。
【請求項１７】
前記ワイヤレス通信システムの前記１つまたは複数のセルを識別することは、
前記１つまたは複数の識別されたセルの各々の測定結果を判定することと、
前記１つまたは複数の識別されたセルの各々の前記測定結果が、決定された測定閾値を超えると判定することとを備える請求項１に記載の方法。
【請求項１８】
前記測定結果は、少なくとも信号強度、相対的強度、信号品質、または測定誤差統計量を含む請求項１７に記載の方法。
【請求項１９】
前記決定された測定結果閾値は、帯域幅でリマップされる請求項１７に記載の方法。
【請求項２０】
前記複数のセット内から前記候補セルを決定することは、第１のフレキシブル帯域幅キャリアと第２のフレキシブル帯域幅キャリアとの間のモビリティを円滑にし、前記第１のフレキシブル帯域幅キャリアおよび前記第２の帯域幅キャリアは、同じ帯域幅スケーリング係数を利用する請求項２に記載の方法。
【請求項２１】
前記複数のセット内から前記候補セルを決定することは、第１のフレキシブル帯域幅キャリアと第２のフレキシブル帯域幅キャリアとの間のモビリティを円滑にし、前記第１のフレキシブル帯域幅キャリアおよび前記第２の帯域幅キャリアは、異なる帯域幅スケーリング係数を利用する請求項２に記載の方法。
【請求項２２】
前記複数のセット内から前記候補セルを決定することは、通常帯域幅キャリアとフレキシブル帯域幅キャリアとの間のモビリティを円滑にする請求項２に記載の方法。
【請求項２３】
前記複数のセット内から前記候補セルを決定することは、第１の無線アクセス技術とフレキシブル帯域幅キャリアを有するシステムとの間のモビリティを円滑にする請求項２に記載の方法。
【請求項２４】
前記ワイヤレス通信システムは、ユーザ機器との同時通信を行うように構成された複数のセルを備え、各々のセルは、少なくとも１つの異なるキャリアまたは異なる帯域幅を利用する請求項１に記載の方法。
【請求項２５】
前記ワイヤレス通信システムは、ユーザ機器と接続するように構成された複数のセルを備え、各々のセルは複数のキャリアを備える請求項１に記載の方法。
【請求項２６】
前記ワイヤレス通信システムは、２つの異なるキャリア周波数を同時に利用してユーザ機器と通信するように構成されたセルを備える請求項１に記載の方法。
【請求項２７】
ワイヤレス通信に対してモビリティ管理を行うように構成されたワイヤレス通信システムであって、
前記ワイヤレス通信システムの１つまたは複数のセルを識別するための手段と、
各それぞれの識別されたセルに関連付けられているそれぞれの帯域幅スケーリング係数を識別するための手段と、
複数のセットを決定するための手段であって、各それぞれのセットは前記それぞれの帯域幅スケーリング係数のうちの１つに関連付けられている、手段と、
各それぞれの識別されたセルをそれぞれの関連付けられている帯域幅スケーリング係数に基づき前記それぞれのセットのうちの１つに関連付けるための手段とを備えるワイヤレス通信システム。
【請求項２８】
前記複数のセット内から候補セルを決定するための手段をさらに備える請求項２７に記載のワイヤレス通信システム。
【請求項２９】
前記複数のセットに関して１つまたは複数のオフセットを利用して前記複数のセット内から前記候補セルを決定するための手段をさらに備える請求項２８に記載のワイヤレス通信システム。
【請求項３０】
前記複数のセットを決定するための前記手段は、
複数のアクティブセットを決定するための手段であって、各それぞれのアクティブセットはそれぞれの帯域幅スケーリング係数に関連付けられる、手段を備える請求項２７に記載のワイヤレス通信システム。
【請求項３１】
前記複数のセットを決定するための前記手段は、
複数の仮想アクティブセットを決定するための手段であって、各それぞれの仮想アクティブセットはそれぞれの帯域幅スケーリング係数に関連付けられる、手段を備える請求項２７に記載のワイヤレス通信システム。
【請求項３２】
前記複数のセットを決定するための前記手段は、
１つまたは複数の監視もしくは候補セットを決定するための手段であって、各それぞれの監視もしくは候補セットはそれぞれの帯域幅スケーリング係数に関連付けられる、手段を備える請求項２７に記載のワイヤレス通信システム。
【請求項３３】
前記複数のセットを決定するための前記手段は、
１つまたは複数の検出もしくはネイバーセットを決定するための手段であって、各それぞれの検出もしくはネイバーセットはそれぞれのスケーリング係数に関連付けられる、手段を備える請求項２７に記載のワイヤレス通信システム。
【請求項３４】
前記１つまたは複数のセルを識別するための前記手段は、
前記１つまたは複数の識別されたセルの各々の測定結果を判定するための手段と、
前記１つまたは複数の識別されたセルの各々の測定結果が、決定された測定閾値を超えることを判定するための手段とを備える請求項２７に記載のワイヤレス通信システム。
【請求項３５】
前記複数のセット内から前記候補セルを決定するための前記手段は、第１のフレキシブル帯域幅キャリアと第２のフレキシブル帯域幅キャリアとの間のモビリティを円滑にし、前記第１のフレキシブル帯域幅キャリアおよび前記第２の帯域幅キャリアは、同じ帯域幅スケーリング係数を利用する請求項２８に記載のワイヤレス通信システム。
【請求項３６】
前記複数のセット内から前記候補セルを決定するための前記手段は、第１のフレキシブル帯域幅キャリアと第２のフレキシブル帯域幅キャリアとの間のモビリティを円滑にし、前記第１のフレキシブル帯域幅キャリアおよび前記第２の帯域幅キャリアは、異なる帯域幅スケーリング係数を利用する請求項２８に記載のワイヤレス通信システム。
【請求項３７】
前記複数のセット内から前記候補セルを決定するための前記手段は、通常帯域幅キャリアとフレキシブル帯域幅キャリアとの間のモビリティを円滑にする請求項２８に記載のワイヤレス通信システム。
【請求項３８】
ワイヤレス通信システムに対するモビリティ管理のためのコンピュータプログラム製品であって、
前記ワイヤレス通信システムの１つまたは複数のセルを識別するためのコードと、
各それぞれの識別されたセルに関連付けられているそれぞれの帯域幅スケーリング係数を識別するためのコードと、
複数のセットを決定するためのコードであって、各それぞれのセットは前記それぞれの帯域幅スケーリング係数のうちの１つに関連付けられている、コードと、
各それぞれの識別されたセルをそれぞれの関連付けられている帯域幅スケーリング係数に基づき前記それぞれのセットのうちの１つに関連付けるためのコードとを備える
非一時的なコンピュータ可読媒体を備えるコンピュータプログラム製品。
【請求項３９】
前記非一時的なコンピュータ可読媒体は、
前記複数のセット内から候補セルを決定するためのコードをさらに備える請求項３８に記載のコンピュータプログラム製品。
【請求項４０】
前記非一時的なコンピュータ可読媒体は、
前記複数のセットに関して１つまたは複数のオフセットを利用して前記複数のセット内から前記候補セルを決定するためのコードをさらに備える請求項３９に記載のコンピュータプログラム製品。
【請求項４１】
前記複数のセットを決定するための前記コードは、
複数のアクティブセットを決定するためのコードであって、各それぞれのアクティブセットはそれぞれの帯域幅スケーリング係数に関連付けられる、コードを備える請求項３８に記載のコンピュータプログラム製品。
【請求項４２】
前記複数のセットを決定するための前記コードは、
複数の仮想アクティブセットを決定するためのコードであって、各それぞれの仮想アクティブセットはそれぞれの帯域幅スケーリング係数に関連付けられる、コードを備える請求項３８に記載のコンピュータプログラム製品。
【請求項４３】
前記複数のセットを決定するための前記コードは、
１つまたは複数の監視もしくは候補セットを決定するためのコードであって、各それぞれの監視もしくは候補セットはそれぞれの帯域幅スケーリング係数に関連付けられる、コードを備える請求項３８に記載のコンピュータプログラム製品。
【請求項４４】
前記複数のセットを決定するための前記コードは、
１つまたは複数の検出もしくはネイバーセットを決定するためのコードであって、各それぞれの検出もしくはネイバーセットはそれぞれの帯域幅スケーリング係数に関連付けられる、コードを備える請求項３８に記載のコンピュータプログラム製品。
【請求項４５】
前記ワイヤレス通信システムの１つまたは複数のセルを識別するための前記コードは、
前記１つまたは複数の識別されたセルの各々の測定結果を判定するためのコードと、
前記１つまたは複数の識別されたセルの各々の測定結果が、決定された測定閾値を超えることを判定するためのコードとを備える請求項３８に記載のコンピュータプログラム製品。
【請求項４６】
前記複数のセット内から前記候補セルを決定するための前記コードは、第１のフレキシブル帯域幅キャリアと第２のフレキシブル帯域幅キャリアとの間のモビリティを円滑にし、前記第１のフレキシブル帯域幅キャリアおよび前記第２の帯域幅キャリアは、同じ帯域幅スケーリング係数を利用する請求項３９に記載のコンピュータプログラム製品。
【請求項４７】
前記複数のセット内から前記候補セルを決定するための前記コードは、第１のフレキシブル帯域幅キャリアと第２のフレキシブル帯域幅キャリアとの間のモビリティを円滑にし、前記第１のフレキシブル帯域幅キャリアおよび前記第２の帯域幅キャリアは、異なる帯域幅スケーリング係数を利用する請求項３９に記載のコンピュータプログラム製品。
【請求項４８】
前記複数のセット内から前記候補セルを決定するための前記コードは、通常帯域幅キャリアとフレキシブル帯域幅キャリアとの間のモビリティを円滑にする請求項３９に記載のコンピュータプログラム製品。
【請求項４９】
ワイヤレス通信システムに対してモビリティ管理を行うように構成されたワイヤレス通信デバイスであって、
前記ワイヤレス通信システムの１つまたは複数のセルを識別することと、
各それぞれの識別されたセルに関連付けられているそれぞれの帯域幅スケーリング係数を識別することと、
複数のセットを決定することであって、各それぞれのセットは前記それぞれの帯域幅スケーリング係数のうちの１つに関連付けられる、決定することと、
各それぞれの識別されたセルをそれぞれの関連付けられているスケーリング係数に基づき前記それぞれのセットのうちの１つに関連付けることとを行うように構成された
少なくとも１つのプロセッサと、
前記少なくとも１つのプロセッサに結合された少なくとも１つのメモリとを備えるワイヤレス通信デバイス。
【請求項５０】
前記少なくとも１つのプロセッサは、
前記複数のセット内から候補セルを決定するようにさらに構成される請求項４９に記載のワイヤレス通信デバイス。
【請求項５１】
前記少なくとも１つのプロセッサは、
前記複数のセットに関して１つまたは複数のオフセットを利用して前記複数のセット内から前記候補セルを決定するようにさらに構成される請求項５０に記載のワイヤレス通信デバイス。
【請求項５２】
前記複数のセットを決定するように構成された前記少なくとも１つのプロセッサは、
複数のアクティブセットを決定するように構成され、各それぞれのアクティブセットはそれぞれの帯域幅スケーリング係数に関連付けられる請求項４９に記載のワイヤレス通信デバイス。
【請求項５３】
前記複数のセットを決定するように構成された前記少なくとも１つのプロセッサは、
複数の仮想アクティブセットを決定するように構成され、各それぞれの仮想アクティブセットはそれぞれの帯域幅スケーリング係数に関連付けられる請求項４９に記載のワイヤレス通信デバイス。
【請求項５４】
前記複数のセットを決定するように構成された前記少なくとも１つのプロセッサは、
１つまたは複数の監視もしくは候補セットを決定するように構成され、各それぞれの監視もしくは候補セットはそれぞれの帯域幅スケーリング係数に関連付けられる請求項４９に記載のワイヤレス通信デバイス。
【請求項５５】
前記複数のセットを決定するように構成された前記少なくとも１つのプロセッサは、
１つまたは複数の検出もしくはネイバーセットを決定するように構成され、各それぞれの検出もしくはネイバーセットはそれぞれの帯域幅スケーリング係数に関連付けられる請求項４９に記載のワイヤレス通信デバイス。
【請求項５６】
前記ワイヤレス通信システムの１つまたは複数のセルを識別するように構成された前記少なくとも１つのプロセッサは、
前記１つまたは複数の識別されたセルの各々の測定結果を判定し、
前記１つまたは複数の識別されたセルの各々の前記測定結果が、決定された測定閾値を超えると判定するように構成される請求項４９に記載のワイヤレス通信デバイス。
【請求項５７】
前記複数のセット内から前記候補セルを決定するように構成された前記少なくとも１つのプロセッサは、第１のフレキシブル帯域幅キャリアと第２のフレキシブル帯域幅キャリアとの間のモビリティを円滑にし、前記第１のフレキシブル帯域幅キャリアおよび前記第２の帯域幅キャリアは、同じ帯域幅スケーリング係数を利用する請求項５０に記載のワイヤレス通信デバイス。
【請求項５８】
前記複数のセット内から前記候補セルを決定するように構成された前記少なくとも１つのプロセッサは、第１のフレキシブル帯域幅キャリアと第２のフレキシブル帯域幅キャリアとの間のモビリティを円滑にし、前記第１のフレキシブル帯域幅キャリアおよび前記第２の帯域幅キャリアは、異なる帯域幅スケーリング係数を利用する請求項５０に記載のワイヤレス通信デバイス。
【請求項５９】
前記複数のセット内から前記候補セルを決定するように構成された前記少なくとも１つのプロセッサは、通常帯域幅キャリアとフレキシブル帯域幅キャリアとの間のモビリティを円滑にする請求項５０に記載のワイヤレス通信デバイス。
【発明の詳細な説明】
【技術分野】
【０００１】
相互関連出願
本特許出願は、本特許出願の譲受人に譲渡され、すべての目的に関して参照により本明細書に明確に組み込まれている、２０１１年１１月７日に出願した仮出願第６１／５５６，７７７号、名称「ＦＲＡＣＴＩＯＮＡＬ  ＳＹＳＴＥＭＳ  ＩＮ  ＷＩＲＥＬＥＳＳ  ＣＯＭＭＵＮＩＣＡＴＩＯＮＳ」の優先権を主張するものである。本特許出願は、本特許出願の譲受人に譲渡され、すべての目的に関して参照により明確に本明細書に組み込まれている、２０１１年１２月９日に出願した仮出願第６１／５６８，７４２号、名称「ＳＩＧＮＡＬ  ＣＡＰＡＣＩＴＹ  ＢＯＯＳＴＩＮＧ，  ＣＯＯＲＤＩＮＡＴＥＤ  ＦＯＲＷＡＲＤ  ＬＩＮＫ  ＢＬＡＮＫＩＮＧ  ＡＮＤ  ＰＯＷＥＲ  ＢＯＯＳＴＩＮＧ，  ＡＮＤ  ＲＥＶＥＲＳＥ  ＬＩＮＫ  ＴＨＲＯＵＧＨＰＵＴ  ＩＮＣＲＥＡＳＩＮＧ  ＦＯＲ  ＦＬＥＸＩＢＬＥ  ＢＡＮＤＷＩＤＴＨ  ＳＹＳＴＥＭＳ」の優先権も主張するものである。本特許出願は、本特許出願の譲受人に譲渡され、すべての目的に関して参照により明確に本明細書に組み込まれている、２０１２年３月６日に出願した仮出願第６１／６０７，５０２号、名称「ＭＯＢＩＬＩＴＹ  ＭＡＮＡＧＥＭＥＮＴ  ＦＯＲ  ＦＬＥＸＩＢＬＥ  ＢＡＮＤＷＩＤＴＨ  ＳＹＳＴＥＭＳ  ＡＮＤ  ＤＥＶＩＣＥＳ」の優先権も主張するものである。
【背景技術】
【０００２】
ワイヤレス通信システムは、たとえば、音声、ビデオ、パケットデータ、メッセージング、放送番組などの様々な種類の通信コンテンツを提供するため広く展開されている。これらのシステムは、利用可能なシステムリソース（たとえば、時間、周波数、および電力）を共有することによって複数のユーザとの通信をサポートすることができる多元接続システムであるものとしてよい。このような多元接続システムの例としては、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および直交周波数分割多元接続（ＯＦＤＭＡ）システムが挙げられる。
【０００３】
サービスプロバイダは、典型的には、いくつかの地理的地域において排他的に使用するための周波数スペクトルのブロックを割り振られる。これらの周波数のブロックは、一般的に、使用されている複数の多元接続技術に関係なく監督規制機関によって割り当てられる。ほとんどの場合において、これらのブロックは、チャネル帯域幅の整数倍ではなく、したがって、スペクトルの利用されていない部分があり得る。ワイヤレスデバイスの使用が増えたことで、このスペクトルの需要と価値も、同様に急上昇している。しかしながら、いくつかの場合において、ワイヤレス通信システムは割り振られたスペクトルの部分を、それらの部分が標準または通常波形に適合するほど十分には大きくないので利用しないことがある。たとえば、ＬＴＥ標準の開発者は、この問題を認識して、多くの異なるシステム帯域幅（たとえば、１．４、３、５、１０、１５、および２０ＭＨｚ）をサポートすることを決定した。別のアプローチとして、通常波形に適合しない可能性のあるスペクトルの部分を利用するワイヤレス通信システムを伴い得るフレキシブル帯域幅キャリアシステムを利用することが挙げられる。しかし、混合されたレガシー帯域幅キャリアシステムとフレキシブル帯域幅キャリアシステム（mixed legacy and flexible bandwidth carrier systems）の間の移行を円滑にするなど、フレキシブル帯域幅キャリアシステムを利用したときに異なるモビリティ管理問題が生じ得る。
【発明の概要】
【０００４】
フレキシブル帯域幅キャリアを利用するワイヤレス通信システムに対するモビリティ管理のための方法、システム、およびデバイスが提供される。いくつかの実施形態は、モビリティ管理を円滑にするためにフレキシブル帯域幅キャリアに対する帯域幅スケーリング係数の値に基づく周波数内および／または周波数間セット管理を含む。たとえば、接続モードセットは、異なる状況において利用され得ることが知られている場合がある。探索中にセルが測定され、識別された後、セルは、仮想セット、アクティブセット、または監視セットのようなネットワークから信号伝達されたセルに基づくセットなどの異なるセットに置かれ得る。検出セットは、ネットワークによって信号伝達されていないが、ユーザ機器（ＵＥ）によって発見されたセルから作ることができる。提供される方法、システム、およびデバイスは、一方のセルから別のセルに移動するときに識別されたセルのセットをフレキシブル帯域幅キャリアＵＥが管理するのを助けることができ、セルは、たとえば、ＵＭＴＳまたはＧＳＭ（登録商標）セルを含む、フレキシブルまたは非フレキシブル帯域幅セルであってよい。
【０００５】
フレキシブル帯域幅キャリアシステムは、フレキシブル波形を利用することを通じて通常波形に適合するほど十分には大きくない可能性のあるスペクトルの部分を利用することができるワイヤレス通信システムを伴い得る。フレキシブル帯域幅キャリアシステムは、フレーム長のディレーションを生じさせる（dilate）こと、またはたとえば通常帯域幅キャリアシステムに関してフレキシブル帯域幅キャリアシステムのチップレートをスケールダウンする（scale down）ことを通じて通常帯域幅キャリアシステムに関して生成され得る。いくつかの実施形態において、フレキシブル帯域幅キャリアシステムは、フレーム長のディレーションを生じさせるか、または通常帯域幅キャリアシステムに関してフレキシブル帯域幅キャリアシステムの帯域幅をスケールダウンすることを通じて通常帯域幅キャリアシステムに関して生成され得る。いくつかの実施形態は、フレキシブル帯域幅キャリアシステムのチップレートを伸長する（expand）か、またはスケールアップする（scale up）ことを通じてフレキシブル波形の帯域幅を増やす（increase）。いくつかの実施形態は、フレーム長を減らす（decrease）か、またはフレキシブル帯域幅キャリアシステムの帯域幅をスケールアップすることを通じてフレキシブル波形の帯域幅を増やす。
【０００６】
いくつかの実施形態は、ワイヤレス通信システムに対するモビリティ管理の方法を含む。この方法は、ワイヤレス通信システムの１つまたは複数のセルを識別すること、各それぞれの識別されたセルに関連付けられているそれぞれの帯域幅スケーリング係数を識別すること、複数のセットを決定することであって、各それぞれのセットはそれぞれの帯域幅スケーリング係数のうちの１つに関連付けられている、決定すること、および／または各それぞれの識別されたセルをそれぞれの関連付けられている帯域幅スケーリング係数に基づきそれぞれのセットのうちの１つに関連付けることを含み得る。
【０００７】
いくつかの実施形態は、複数のセット内から候補セルを決定することを含む。複数のセット内から候補セルを決定することは、少なくとも１つのサービングセルＩＤ、中心周波数、またはそれぞれの帯域幅スケーリング係数を利用することができる。 いくつかの実施形態は、複数のセットに関して１つまたは複数のオフセットを利用して複数のセット内から候補セルを決定することを含む。いくつかの実施形態は、複数のセットに関して１つまたは複数のパワーオフセットを利用して複数のセット内から候補セルを決定することを含む。
【０００８】
複数のセットを決定することは、複数のアクティブセットを決定することを含んでもよく、各それぞれのアクティブセットはそれぞれの帯域幅スケーリング係数に関連付けられ得る。各それぞれのアクティブセットは、少なくとも１つのセルＩＤ、中心キャリア周波数、またはチャネル番号にさらに関連付けられ得る。いくつかの実施形態は、複数の帯域幅スケーリング係数を決定することを含み、各それぞれの帯域幅スケーリング係数はアクティブセットに関連付けられる。いくつかの実施形態は、複数の帯域幅スケーリング係数に関連付けられている少なくとも１つのアクティブセットを決定することを含む。
【０００９】
複数のセットを決定することは、複数の仮想アクティブセットを決定することを含むことができ、各それぞれの仮想アクティブセットはそれぞれの帯域幅スケーリング係数に関連付けられ得る。いくつかの実施形態は、複数の帯域幅スケーリング係数を決定することを含み、各それぞれの帯域幅スケーリング係数は仮想アクティブセットに関連付けられ得る。いくつかの実施形態は、複数の帯域幅スケーリング係数に関連付けられている少なくとも１つの仮想アクティブセットを決定することを含む。
【００１０】
複数のセットを決定することは、１つまたは複数の監視もしくは候補セットを決定することを含むことができ、各それぞれの監視もしくは候補セットはそれぞれの帯域幅スケーリング係数に関連付けられる。いくつかの実施形態は、複数の帯域幅スケーリング係数を決定することを含み、各それぞれの帯域幅スケーリング係数は少なくとも監視セットまたは候補セットに関連付けられる。いくつかの実施形態は、複数の帯域幅スケーリング係数に関連付けられている少なくとも監視セットまたは候補セットを決定することを含む。複数のセットを決定することは、１つまたは複数の検出もしくはネイバーセットを決定することを含むことができ、各それぞれの検出もしくはネイバーセットはそれぞれのスケーリング係数に関連付けられ得る。
【００１１】
いくつかの実施形態において、ワイヤレス通信システムの１つまたは複数のセルを識別することは、１つまたは複数の識別されたセルの各々の測定結果を判定すること、および／または１つまたは複数の識別されたセルの各々の測定結果が、決定された測定閾値を超えると判定することを含む。測定は、少なくとも信号強度、相対的強度、信号品質、または測定誤差統計量を含み得る。決定された確定閾値は、帯域幅でリマップされ得る。
【００１２】
複数のセット内から候補セルを決定することは、第１のフレキシブル帯域幅キャリアと第２のフレキシブル帯域幅キャリアとの間のモビリティを円滑にすることができ、第１のフレキシブル帯域幅キャリアおよび第２の帯域幅キャリアは、同じ帯域幅スケーリング係数を利用する。複数のセット内から候補セルを決定することは、第１のフレキシブル帯域幅キャリアと第２のフレキシブル帯域幅キャリアとの間のモビリティを円滑にすることができ、第１のフレキシブル帯域幅キャリアおよび第２の帯域幅キャリアは、異なる帯域幅スケーリング係数を利用する。複数のセット内から候補セルを決定することは、通常帯域幅キャリアとフレキシブル帯域幅キャリアとの間のモビリティを円滑にすることができる。複数のセット内から候補セルを決定することは、第１の無線アクセス技術とフレキシブル帯域幅キャリアを有するシステムとの間のモビリティを円滑にすることができる。
【００１３】
いくつかの実施形態において、ワイヤレス通信システムは、ユーザ機器との同時通信を行うように構成された複数のセルを備え、各々のセルは、少なくとも１つの異なるキャリアまたは異なる帯域幅を利用することができる。いくつかの実施形態は、ユーザ機器と接続するように構成された複数のセルを備えることができるワイヤレス通信システムを含むものとしてよく、各々のセルは複数のキャリアを備えることができる。いくつかの場合において、ワイヤレス通信システムは、２つの異なるキャリア周波数を同時に利用してユーザ機器と通信するように構成されたセルを備えることができる。
【００１４】
いくつかの実施形態は、ワイヤレス通信に対してモビリティ管理を行うように構成されたワイヤレス通信システムを含む。システムは、ワイヤレス通信システムの１つまたは複数のセルを識別するための手段、各それぞれの識別されたセルに関連付けられているそれぞれの帯域幅スケーリング係数を識別するための手段、複数のセットを決定するための手段であって、各それぞれのセットはそれぞれの帯域幅スケーリング係数のうちの１つに関連付けられている、手段、および／または各それぞれの識別されたセルをそれぞれの関連付けられている帯域幅スケーリング係数に基づきそれぞれのセットのうちの１つに関連付けるための手段を備えることができる。
【００１５】
いくつかの実施形態は、複数のセット内から候補セルを決定するための手段を備える。いくつかの実施形態は、複数のセットに関して１つまたは複数のオフセットを利用して複数のセット内から候補セルを決定するための手段を備える。
【００１６】
複数のセットを決定するための手段は、複数のアクティブセットを決定するための手段であって、各それぞれのアクティブセットはそれぞれの帯域幅スケーリング係数に関連付けられ得る、手段を含み得る。複数のセットを決定するための手段は、複数の仮想アクティブセットを決定するための手段であって、各それぞれの仮想アクティブセットはそれぞれの帯域幅スケーリング係数に関連付けられ得る、手段を含み得る。複数のセットを決定するための手段は、１つまたは複数の監視もしくは候補セットを決定するための手段であって、各それぞれの監視もしくは候補セットはそれぞれの帯域幅スケーリング係数に関連付けられ得る、手段を含むことができる。複数のセットを決定するための手段は、１つまたは複数の検出もしくはネイバーセットを決定するための手段であって、各それぞれの検出もしくはネイバーセットはそれぞれのスケーリング係数に関連付けられ得る、手段を含むことができる。
【００１７】
１つまたは複数のセルを識別するための手段は、１つまたは複数の識別されたセルの各々の測定結果を判定するための手段、および／または１つまたは複数の識別されたセルの各々の測定結果が、決定された測定閾値を超えることを判定するための手段を含むことができる。
【００１８】
複数のセット内から候補セルを決定するための手段は、第１のフレキシブル帯域幅キャリアと第２のフレキシブル帯域幅キャリアとの間のモビリティを円滑にすることができ、第１のフレキシブル帯域幅キャリアおよび第２の帯域幅キャリアは、同じ帯域幅スケーリング係数を利用し得る。複数のセット内から候補セルを決定するための手段は、第１のフレキシブル帯域幅キャリアと第２のフレキシブル帯域幅キャリアとの間のモビリティを円滑にすることができ、第１のフレキシブル帯域幅キャリアおよび第２の帯域幅キャリアは、異なる帯域幅スケーリング係数を利用し得る。複数のセット内から候補セルを決定するための手段は、通常帯域幅キャリアとフレキシブル帯域幅キャリアとの間のモビリティを円滑にすることができる。
【００１９】
いくつかの実施形態は、非一時的なコンピュータ可読媒体を備えることができるワイヤレス通信システムに対するモビリティ管理のためのコンピュータプログラム製品を含み、このコンピュータ可読媒体はワイヤレス通信システムの１つまたは複数のセルを識別するためのコード、各それぞれの識別されたセルに関連付けられているそれぞれの帯域幅スケーリング係数を識別するためのコード、複数のセットを作成するためのコードであって、各それぞれのセットはそれぞれの帯域幅スケーリング係数のうちの１つに関連付けられ得る、コード、および／または各それぞれの識別されたセルをそれぞれの関連付けられている帯域幅スケーリング係数に基づきそれぞれのセットのうちの１つに関連付けるためのコードを格納することができる。
【００２０】
非一時的なコンピュータ可読媒体は、複数のセット内から候補セルを決定するためのコードをさらに格納することができる。非一時的なコンピュータ可読媒体は、複数のセットに関して１つまたは複数のオフセットを利用して複数のセット内から候補セルを決定するためのコードをさらに格納することができる。
【００２１】
複数のセットを決定するためのコードは、複数のアクティブセットを決定するためのコードであって、各それぞれのアクティブセットはそれぞれの帯域幅スケーリング係数に関連付けられ得る、コードを含むことができる。複数のセットを決定するためのコードは、複数の仮想アクティブセットを決定するためのコードであって、各それぞれの仮想アクティブセットはそれぞれの帯域幅スケーリング係数に関連付けられ得る、コードを含むことができる。複数のセットを決定するためのコードは、１つまたは複数の監視もしくは候補セットを決定するためのコードであって、各それぞれの監視もしくは候補セットはそれぞれの帯域幅スケーリング係数に関連付けられ得る、コードを含むことができる。複数のセットを決定するためのコードは、１つまたは複数の検出もしくはネイバーセットを決定するためのコードであって、各それぞれの検出もしくはネイバーセットはそれぞれの帯域幅スケーリング係数に関連付けられ得る、コードを含むことができる。
【００２２】
ワイヤレス通信システムの１つまたは複数のセルを識別するためのコードは、１つまたは複数の識別されたセルの各々の測定結果を判定するためのコード、および／または１つまたは複数の識別されたセルの各々の測定結果が、決定された測定閾値を超えることを判定するためのコードを含むことができる。
【００２３】
複数のセット内から候補セルを決定するためのコードは、第１のフレキシブル帯域幅キャリアと第２のフレキシブル帯域幅キャリアとの間のモビリティを円滑にすることができ、第１のフレキシブル帯域幅キャリアおよび第２の帯域幅キャリアは、同じ帯域幅スケーリング係数を利用し得る。複数のセット内から候補セルを決定するためのコードは、第１のフレキシブル帯域幅キャリアと第２のフレキシブル帯域幅キャリアとの間のモビリティを円滑にすることができ、第１のフレキシブル帯域幅キャリアおよび第２の帯域幅キャリアは、異なる帯域幅スケーリング係数を利用し得る。複数のセット内から候補セルを決定するためのコードは、通常帯域幅キャリアとフレキシブル帯域幅キャリアとの間のモビリティを円滑にすることができる。
【００２４】
いくつかの実施形態は、ワイヤレス通信システムに対してモビリティ管理を行うように構成されたワイヤレス通信デバイスを含む。デバイスは、少なくとも１つのプロセッサを備え、このプロセッサはワイヤレス通信システムの１つまたは複数のセルを識別すること、各それぞれの識別されたセルに関連付けられているそれぞれの帯域幅スケーリング係数を識別すること、複数のセットを決定することであって、各それぞれのセットはそれぞれの帯域幅スケーリング係数のうちの１つに関連付けられる、決定することおよび／または各それぞれの識別されたセルをそれぞれの関連付けられているスケーリング係数に基づきそれぞれのセットのうちの１つに関連付けることを行うように構成され得る。このデバイスは、少なくとも１つのプロセッサに結合された少なくとも１つのメモリも備え得る。
【００２５】
少なくとも１つのプロセッサは、複数のセット内から候補セルを決定するようにさらに構成され得る。少なくとも１つのプロセッサは、複数のセットに関して１つまたは複数のオフセットを利用して複数のセット内から候補セルを決定するようにさらに構成され得る。
【００２６】
複数のセットを決定するように構成されている少なくとも１つのプロセッサは、複数のアクティブセットを決定するように構成されてもよく、各それぞれのアクティブセットはそれぞれの帯域幅スケーリング係数に関連付けられ得る。複数のセットを決定するように構成されている少なくとも１つのプロセッサは、複数の仮想アクティブセットを決定するように構成されてもよく、各それぞれの仮想アクティブセットはそれぞれの帯域幅スケーリング係数に関連付けられ得る。複数のセットを決定するように構成されている少なくとも１つのプロセッサは、１つまたは複数の監視もしくは候補セットを決定するように構成されてもよく、各それぞれの監視もしくは候補セットはそれぞれの帯域幅スケーリング係数に関連付けられ得る。複数のセットを決定するように構成されている少なくとも１つのプロセッサは、１つまたは複数の検出もしくはネイバーセットを決定するように構成されてもよく、各それぞれの検出もしくはネイバーセットはそれぞれの帯域幅スケーリング係数に関連付けられ得る。
【００２７】
ワイヤレス通信システムの１つまたは複数のセルを識別するように構成された少なくとも１つのプロセッサは、１つまたは複数の識別されたセルの各々の測定結果を判定し、および／または１つまたは複数の識別されたセルの各々の測定結果が、決定された測定閾値を超えることを判定するように構成され得る。
【００２８】
複数のセット内から候補セルを決定するように構成された少なくとも１つのプロセッサは、第１のフレキシブル帯域幅キャリアと第２のフレキシブル帯域幅キャリアとの間のモビリティを円滑にすることができ、第１のフレキシブル帯域幅キャリアおよび第２の帯域幅キャリアは、同じ帯域幅スケーリング係数を利用し得る。複数のセット内から候補セルを決定するように構成された少なくとも１つのプロセッサは、第１のフレキシブル帯域幅キャリアと第２のフレキシブル帯域幅キャリアとの間のモビリティを円滑にすることができ、第１のフレキシブル帯域幅キャリアおよび第２の帯域幅キャリアは、異なる帯域幅スケーリング係数を利用し得る。複数のセット内から候補セルを決定するように構成された少なくとも１つのプロセッサは、通常帯域幅キャリアとフレキシブル帯域幅キャリアとの間のモビリティを円滑にすることができる。
【００２９】
前記の説明では、次の詳細な説明を理解しやすくするために本開示に従って例の特徴および技術的利点の概略をかなり広範にわたって述べている。追加の特徴および利点について以下で説明する。開示されている概念および特定の例は、本開示の同じ目的を実施するために他の構造物を修正または設計するための基盤として容易に利用され得る。このような同等の構造は、付属の請求項の精神および範囲から逸脱しない。本明細書で開示されている概念に特徴的であると考えられる特徴は、その編成および動作方法の両方に関して、関連する利点と併せて、付属の図面に関連して考察するときに次の説明を参照することで理解しやすくなる。これらの特徴の各々は、例示および説明を目的として提示されており、請求項の制限の定義として提示されていない。
【００３０】
本発明の性質および利点は、次の図面を参照することでさらに深く理解できる。添付図において、類似のコンポーネントまたは特徴は、同じ参照ラベルを有するものとしてよい。さらに、同じタイプの様々なコンポーネントは、参照ラベルの後にダッシュと類似のコンポーネントを区別する第２のラベルを付けることによって区別することができる。第１の参照ラベルのみが明細書中で使用されている場合、説明は、第２の参照ラベルに関係なく同じ第１の参照ラベルを有する類似のコンポーネントのうちの１つに適用可能である。
【図面の簡単な説明】
【００３１】
【図１】様々な実施形態によるワイヤレス通信システムのブロック図。
【図２Ａ】様々な実施形態によるフレキシブル波形が通常波形に適合するほど十分には広くないスペクトルの一部に適合するワイヤレス通信システムの一例を示す図。
【図２Ｂ】様々な実施形態によるフレキシブル波形が帯域端に近いスペクトルの一部に適合するワイヤレス通信システムの一例を示す図。
【図３】様々な実施形態によるワイヤレス通信システムのブロック図。
【図４】様々な実施形態によるモビリティ管理手順を示すブロック図。
【図５】様々な実施形態によるいくつかのモビリティ管理の単一キャリアシナリオを含む表。
【図６Ａ】様々な実施形態によりモビリティ管理を行うように構成されたデバイスのブロック図。
【図６Ｂ】様々な実施形態によりモビリティ管理を行うように構成されたデバイスのブロック図。
【図７】様々な実施形態によりモビリティ管理を行うように構成されたデバイスのブロック図。
【図８】モバイルデバイスが接続モードに入っているときのセルセットのブロック図。
【図９】様々な実施形態による周波数間シナリオに対するセット遷移図。
【図１０】様々な実施形態によるセット遷移図。
【図１１】様々な実施形態による周波数間モビリティシナリオに対する通信図。
【図１２】様々な実施形態によるユーザ機器のブロック図。
【図１３】様々な実施形態による基地局とユーザ機器とを含むワイヤレス通信システムのブロック図。
【図１４】様々な実施形態による基地局とユーザ機器とを含むワイヤレス通信システムのブロック図。
【図１５Ａ】様々な実施形態によるワイヤレス通信システムにおけるモビリティ管理の方法の流れ図。
【図１５Ｂ】様々な実施形態によるワイヤレス通信システムにおけるモビリティ管理の方法の流れ図。
【発明を実施するための形態】
【００３２】
フレキシブル帯域幅キャリアを利用するワイヤレス通信システムに対するモビリティ管理のための方法、システム、およびデバイスが提供される。いくつかの実施形態は、モビリティ管理を円滑にするためにフレキシブル帯域幅キャリアに対する帯域幅スケーリング係数の値に基づく周波数内および／または周波数間セット管理を含む。
【００３３】
モビリティシナリオにおける単一キャリアセルについて、周波数間モビリティシナリオは、ハンドオーバーまたは再選択が２つのセルの間で実行され得るシナリオを指すものとしてよく、各々のセルは他のセルにおいて使用される中心キャリア周波数と異なり得る中心キャリア周波数（またはチャネル番号）（すなわち、異なるチャネル番号）を有する。両方のキャリアの帯域幅は、同じであることも異なることもあり得る。周波数内シナリオについては、２つのセルは両方とも、同じ中心周波数および同じまたは異なる帯域幅を持つキャリアを有することができる。たとえば、周波数間同一帯域幅および周波数内同一帯域幅、周波数間異帯域幅、周波数内同一帯域幅、および周波数内異帯域幅があり得る。このような線引きは、一般化することができる。たとえば、接続モードセットは、セル取得またはモビリティに対する異なる状況において利用され得ることが知られている場合がある。探索時にユーザ機器（ＵＥ）へのネットワークによる信号伝達がなされるセルが測定され、識別され、セルは、仮想セット、アクティブセット、または監視セットなどの異なるセット内に置かれ得る。検出セットは、ネットワークによって信号伝達されていないが、ＵＥによって発見されたセルから作ることができる。提供される方法、システム、およびデバイスは、一方のセルから別のセルに移動するときに識別されたセルのセットをフレキシブル帯域幅キャリアＵＥが管理するのを助けることができ、セルは、たとえば、ＵＭＴＳまたはＧＳＭ（登録商標）セルを含む、フレキシブルまたは非フレキシブル帯域幅セルであってよい。
【００３４】
フレキシブル帯域幅キャリアシステムは、フレキシブル波形を利用することを通じて通常波形に適合するほど十分には大きくない可能性のあるスペクトルの部分を利用することができるワイヤレス通信システムを伴い得る。フレキシブル帯域幅キャリアシステムは、フレーム長のディレーションを生じさせること、またはたとえば通常帯域幅キャリアシステムに関してフレキシブル帯域幅キャリアシステムのチップレートをスケールダウンすることを通じて通常帯域幅キャリアシステムに関して生成され得る。いくつかの実施形態において、フレキシブル帯域幅キャリアシステムは、フレーム長のディレーションを生じさせるか、または通常帯域幅キャリアシステムに関してフレキシブル帯域幅キャリアシステムの帯域幅をスケールダウンすることを通じて通常帯域幅キャリアシステムに関して生成され得る。いくつかの実施形態は、フレキシブル帯域幅キャリアシステムのチップレートを伸長するか、またはスケールアップすることを通じてフレキシブル波形の帯域幅を増やす。いくつかの実施形態は、フレーム長を減らすか、またはフレキシブル帯域幅キャリアシステムの帯域幅をスケールアップすることを通じてフレキシブル波形の帯域幅を増やす。フレキシブルキャリアは、マルチフローシステム（すなわち、複数のセルが１つのＵＥと同時に通信することができるシステム。セルは同じまたは異なるキャリア、および同じまたは異なる帯域幅を有することができる）、マルチキャリアシステム（すなわち、ＵＥが複数のセルを有するシステムに接続され、これらのセルの各々が同じまたは異なる帯域幅を持つ複数のキャリアを有するシステム）、デュアルセルシステム（すなわち、これはデュアルセルＵＭＴＳに類似し、セルが２つの異なるキャリア周波数を同時に使用してＵＥと通信することができ、２つのキャリアは同じ帯域幅を有するものとしてよい）、および／または補助的なダウンリンクおよび／またはアップリンクシステムの一部であってよい。セット管理は、これらのキャリアの組み合わせ上でも実行され得る。
【００３５】
セット管理では、様々な実施形態に従って周波数内セルおよび／または周波数内セルを取り扱うことができる。周波数内セルは、同じ帯域幅スケーリング係数（たとえば、同じ帯域幅、チップスケーリング係数）を有することができるので、ＵＥは、ただ１つのアクティブセット、１つの監視セット、および１つの検出セットを生成することができる。これは、たとえば、ＵＭＴＳで実行されるものと同じであってよい。監視セットからアクティブセットにセルを移動するためのトリガー条件は、フレキシブル帯域幅セルについて修正される必要がある場合がある（たとえば、セルパワーオフセットはフレキシブル帯域幅セル、報告範囲について修正され得る、アクティブセットサイズはフレキシブル帯域幅展開について最適化され得る、など）。周波数間セルでは、複数の仮想アクティブセットが作成され得る。１つの仮想アクティブセットが、各々の一意的な周波数／帯域幅対について作成され得る。対照的に、ただ１つの監視および１つの検出セットが、いくつかの場合において、周波数内、周波数間、およびＲＡＴ間セルの記録を付けるために使用され得る。フレキシブル帯域幅キャリアシステムでは、異なる周波数が同じ帯域幅スケーリング係数を有するか、または異なる帯域幅スケーリング係数を有している場合があるので、ＵＥは、各々の周波数について仮想アクティブセットを生成することができるが、異なる帯域幅スケーリング係数を有することができる。ＵＥによって、監視および検出セットに属していると識別されたセルは、帯域幅スケーリング係数値を持つ適切なセットに追加され得る。
【００３６】
本明細書で説明する技術を、ＣＤＭＡ、ＴＤＭＡ、ＦＤＭＡ、ＯＦＤＭＡ、ＳＣ−ＦＤＭＡ、ピアツーピア、および他のシステムなどの様々なワイヤレス通信システムに使用することができる。用語「システム」、「網」、および「ネットワーク」は、しばしば交換可能に使用される。ＣＤＭＡシステムは、ＣＤＭＡ２０００、ユニバーサル地上無線アクセス（ＵＴＲＡ）などの無線技術を実装することができる。ＣＤＭＡ２０００は、ＩＳ−２０００標準規格と、ＩＳ−９５標準規格と、ＩＳ−８５６標準規格とを包含する。ＩＳ−２０００  Ｒｅｌｅａｓｅｓ  ０およびＡは、一般に、ＣＤＭＡ２０００  １Ｘ、１Ｘなどと称される。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと称される。ＵＴＲＡには、Ｗｉｄｅｂａｎｄ  ＣＤＭＡ（ＷＣＤＭＡ（登録商標））およびＣＤＭＡの他の変更形態がある。時分割多元接続システムは、グローバルシステムフォーモバイルコミュニケーションズ（ＧＳＭ）（登録商標）などの無線テクノロジを実装するものとしてよい。ＯＦＤＭＡまたはＯＦＤＭシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ｆｌａｓｈ−ＯＦＤＭ、などの無線テクノロジを実装するものとしてよい。ＵＴＲＡおよびＥ−ＵＴＲＡは、ユニバーサルモバイル通信システム（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新規リリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名前の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名前の組織からの文書に記載されている。本明細書で説明されている技術は、上述のシステムおよび無線技術、さらには他のシステムおよび無線アクセス技術に使用され得る。
【００３７】
そこで、次の説明は、例を取りあげ、請求項に記載の範囲、適用性、または構成を制限するものではない。本開示の精神および範囲から逸脱することなく、様々な変更を説明されている要素の機能および配置構成に加えることができる。様々な実施形態において、適宜様々な手順またはコンポーネントを省略し、置換し、または追加することができる。たとえば、説明されている方法は、説明されているのと異なる順序で実行することもでき、様々なステップが追加され、省略され、または組み合わされ得る。また、いくつかの実施形態に関して説明されている特徴は、他の実施形態において組み合わせることもできる。
【００３８】
まず最初に図１を参照すると、ブロック図は様々な実施形態によるワイヤレス通信システム１００の一例を示している。システム１００は、基地局１０５と、ユーザ機器１１５と、基地局制御装置１２０と、コアネットワーク１３０とを備えることができる（制御装置１２０は、いくつかの実施形態ではコアネットワーク１３０内に一体化することができ、いくつかの実施形態では、制御装置１２０は、基地局１０５内に一体化することができる）。システム１００は、複数のキャリア（異なる周波数の波形信号）上でのオペレーションをサポートすることができる。マルチキャリア送信機は、複数のキャリア上で変調信号を同時に送信することができる。各々の変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、単一キャリアＦＤＭＡ（ＳＣ−ＦＤＭＡ）信号などであってよい。各々の変調信号は、異なるキャリア上で送信され、制御情報（たとえば、パイロット信号）、オーバーヘッド情報、データなどを搬送することができる。システム１００は、ネットワークリソースを効率よく割り振ることができるマルチキャリアＬＴＥネットワークとすることができる。
【００３９】
ユーザ機器１１５は、任意の種類の移動局、モバイルデバイス、アクセス端末、加入者ユニット、またはユーザ機器とすることができる。ユーザ機器１１５は、セル方式携帯電話とワイヤレス通信デバイスとを含み得るが、携帯情報端末（ＰＤＡ）、スマートフォン、他のハンドヘルドデバイス、ネットブック、ノートブックコンピュータなども含み得る。そのため、ユーザ機器という用語は、任意の種類のワイヤレスまたはモバイル通信デバイスを含むように、請求項を含めてこれ以降、広い意味で解釈されるべきである。
【００４０】
基地局１０５は、基地局アンテナを介してユーザ機器１１５とワイヤレス方式で通信することができる。基地局１０５は、複数のキャリアを介して制御装置１２０の制御の下でユーザ機器１１５と通信するように構成され得る。基地局１０５サイトの各々は、それぞれの地理的地域に対して通信範囲を提供することができる。いくつかの実施形態では、基地局１０５は、ＮｏｄｅＢ、ｅＮｏｄｅＢ、Ｈｏｍｅ  ＮｏｄｅＢ、および／またはＨｏｍｅ  ｅＮｏｄｅＢと称され得る。各々の基地局１０５に対するサービスエリアは、ここでは、１１０−ａ、１１０−ｂ、または１１０−ｃと識別される。基地局に対するサービスエリアは、セクタに分割され得る（図示されていないが、サービスエリアの一部のみを構成する）。システム１００は、異なる種類の基地局１０５（たとえば、マクロ、マイクロ、フェムト、および／またはピコ基地局）を備えることができる。
【００４１】
ユーザ機器１１５、基地局１０５、コアネットワーク１３０、および／または制御装置１２０などの、システム１００の異なる態様は、様々な実施形態に従ってフレキシブル帯域幅とフレキシブル波形とを利用するように構成され得る。システム１００は、たとえば、ユーザ機器１１５と基地局１０５との間に送信１２５があることを示している。送信１２５は、ユーザ機器１１５から基地局１０５へのアップリンクおよび／またはリバースリンク送信、および／または基地局１０５からユーザ機器１１５へのダウンリンクおよび／またはフォワードリンク送信を含み得る。送信１２５は、フレキシブルおよび／または通常波形を含むことができる。通常波形は、レガシーおよび／または通常波形とも称され得る。
【００４２】
ユーザ機器１１５、基地局１０５、コアネットワーク１３０、および／または制御装置１２０などの、システム１００の異なる態様は、様々な実施形態に従ってフレキシブル帯域幅とフレキシブル波形とを利用するように構成され得る。たとえば、システム１００の異なる態様は、通常波形に適合するほど十分には大きくない可能性のあるスペクトルの部分を利用することができる。ユーザ機器１１５、基地局１０５、コアネットワーク１３０、および／または制御装置１２０などの、デバイスは、チップレートおよび／またはスケーリング係数を、フレキシブル帯域幅および／または波形を生成し、および／または利用するように適応させる構成をとることができる。システム１００のいくつかの態様は、通常サブシステムの時間に関するフレキシブルサブシステムの時間のディレーションを生じさせるか、またはスケールダウンすることを通じて、通常サブシステム（他のユーザ機器１１５、および／または基地局１０５を使用して実装され得る）に関して生成され得るフレキシブルサブシステム（特定のユーザ機器１１５および／または基地局１０５など）を形成することができる。
【００４３】
いくつかの実施形態において、ユーザ機器１１５などのシステム１００の異なる態様は、ワイヤレス通信システム１００の１つまたは複数のセルを識別するように構成され得る。各それぞれの識別されたセルに関連付けられているそれぞれの帯域幅スケーリング係数または帯域幅が識別され得る。ユーザ機器１１５は、複数のセットを決定するように構成され得る。各それぞれのセットはそれぞれの帯域幅スケーリング係数のうちの１つに関連付けられ得る。ユーザ機器１１５は、各それぞれの識別されたセルをそれぞれの関連付けられている帯域幅スケーリング係数に基づきそれぞれのセットのうちの１つに関連付けるように構成され得る。
【００４４】
いくつかの実施形態は、フレキシブル波形および／または通常波形を生成することができるユーザ機器１１５および／または基地局１０５を含み得る。フレキシブル波形は、通常波形に比べて小さい帯域幅を占有し得る。たとえば、帯域端では、通常波形を配置するために十分な利用可能スペクトルがない場合がある。フレキシブル波形については、いくつかの実施形態において、時間のディレーションが生じるにつれ、波形が占有する周波数は下がり、それにより、フレキシブル波形を通常波形に適合するほど十分に広くない可能性のあるスペクトルに適合させることが可能になる。フレキシブル波形は、いくつかの実施形態では、スケーリング係数を使用することを通じて生成することもできる。他の実施形態は、転送速度またはチップレートを変えることを通じてスペクトルの一部に適合するようにフレキシブル波形を生成することができる（たとえば、拡散率は変化し得る）。いくつかの実施形態は、処理の頻度を変えてチップレートを変化させるか、またはスケーリング係数を利用することができる。実施形態は、フレキシブル帯域幅キャリアを利用することができる。処理の頻度を変えることは、補間レート、割り込みレート、および／または間引きレートを変えることを含み得る。いくつかの実施形態において、フィルタリングを通じて、間引きによって、および／またはＡＤＣ、ＤＡＣ、および／またはオフラインクロックの周波数を変更することによって、チップレートが変えられるか、またはスケーリング係数が利用され得る。少なくとも１つのクロックの周波数を変えるために、分周器が使用され得る。いくつかの実施形態において、チップレート分周器（Ｄｃｒ）が利用され得る。いくつかの実施形態において、フレキシブル帯域幅キャリアに対するスケーリング係数は、帯域幅スケーリング係数と称され得る。
【００４５】
いくつかの実施形態において、フレキシブルシステムまたは波形は、フラクショナルシステムまたは波形（fractional system or waveform）であってよい。フラクショナルシステムおよび／または波形は、たとえば、帯域幅を変化させてもさせなくてもよい。フラクショナルシステムまたは波形は、それが通常システムまたは波形（たとえば、Ｎ＝１システム）に比べてより多くの可能性をもたらし得るのでフレキシブルであるものとしてよい。通常システムまたは波形は、標準および／またはレガシーシステムまたは波形を指すものとしてよい。
【００４６】
図２Ａは、様々な実施形態による基地局１０５−ａとユーザ機器１１５−ａとを伴うワイヤレス通信システム２００−ａの例を示しており、フレキシブル波形２１０−ａは、通常波形２２０−ａに適合するほど十分に広くないスペクトルの一部に適合する。システム２００−ａは、図１のシステム１００の一例としてよい。いくつかの実施形態において、フレキシブル波形２１０−ａは、基地局１０５−ａおよび／またはユーザ機器１１５−ａのいずれかが送信することができる通常波形２２０−ａと重なってもよい。いくつかの実施形態は、複数のフレキシブル波形２１０を利用することもできる。いくつかの実施形態において、別の基地局および／またはユーザ機器（図示せず）は、通常波形２２０−ａおよび／またはフレキシブル波形２１０−ａを送信することができる。図２Ｂは、基地局１０５−ｂとユーザ機器１１５−ｂとを伴うワイヤレス通信システム２００−ｂの例を示しており、そこでは、フレキシブル波形２１０−ｂは、保護周波数帯であってもよい、帯域端の近くのスペクトルの一部に適合し、通常波形２２０−ｂは適合し得ない。システム２００−ｂは、図１のシステム１００の一例としてよい。
【００４７】
いくつかの実施形態において、ユーザ機器１１５−ａおよび／または１１５−ｂは、１つまたは複数のフレキシブル帯域幅セル、または基地局１０５に関するモビリティ管理を円滑にするように構成され得る。セット管理および／またはハンドオーバーは、同一の場所に置かれている（たとえば、異なるＮを持つ）キャリアおよび同一の場所に置かれていない可能性のある（たとえば、異なるＮを持つ）キャリアで実行され得る。ユーザ機器１１５−ａおよび／または１１５−ｂは、ワイヤレス通信システム２００−ａ／２００−ｂの１つまたは複数のセルを識別するように構成され得る。各それぞれの識別されたセルに関連付けられているそれぞれの帯域幅スケーリング係数または帯域幅が識別され得る。ユーザ機器１１５−ａ／１１５−ｂは、複数のセットを決定するように構成され得る。各それぞれのセットはそれぞれの帯域幅スケーリング係数のうちの１つに関連付けられ得る。ユーザ機器１１５−ａ／１１５−ｂは、各それぞれの識別されたセルをそれぞれの関連付けられている帯域幅スケーリング係数に基づきそれぞれのセットのうちの１つに関連付けるように構成され得る。
【００４８】
図３は、様々な実施形態による基地局１０５−ｃおよび／または基地局１０５−ｄと、ユーザ機器１１５−ｃおよび／または１１５−ｄとを伴うワイヤレス通信システム３００を示している。いくつかの実施形態において、ユーザ機器１１５−ｃおよび／または１１５−ｄは、セット管理を含む、モビリティ管理を行うように構成され得る。そのようなセット管理では、いくつかの実施形態は、帯域幅スケーリング係数Ｎの値に基づく周波数内および／または周波数間セット管理を含む。ユーザ機器１１５−ｃおよび／または１１５−ｄは、ワイヤレス通信システム３００の基地局１０５−ｄおよび／または基地局１０５−ｃおよび／または１０５−ｄのセルを含み得る、１つまたは複数のセルを識別するように構成され得る。いくつかの場合において、１０５−ｃなどの１つまたは複数の基地局は、複数のセルを備えることができる。各それぞれの識別されたセルに関連付けられているそれぞれの帯域幅スケーリング係数または帯域幅が識別され得る。ユーザ機器１１５−ｃおよび／または１１５−ｄは、複数のセットを決定するように構成され得る。各それぞれのセットはそれぞれの帯域幅スケーリング係数のうちの１つに関連付けられ得る。ユーザ機器１１５−ｃおよび／または１１５−ｄは、各それぞれの識別されたセルをそれぞれの関連付けられている帯域幅スケーリング係数に基づきそれぞれのセットのうちの１つに関連付けるように構成され得る。システム３００は、図１のシステム１００および／または図２のシステム２００の一例としてよい。
【００４９】
ユーザ機器１１５−ｃおよび／または１１５−ｄと基地局１０５−ｃとの間の送信３０５−ａ、３０５−ｂ、３０５−ｃでは、通常波形に比べて小さい（または大きい）帯域幅を占有するように生成され得るフレキシブル波形を利用することができる。いくつかの場合において、送信３０５−ｄおよび／または３０５−ｅは、フレキシブル波形を利用することができる。たとえば、帯域端では、通常波形を配置するために十分な利用可能スペクトルがない場合がある。フレキシブル波形については、時間のディレーションが生じるにつれ、波形が占有する周波数は下がり、それにより、フレキシブル波形を通常波形に適合するほど十分に広くない可能性のあるスペクトルに適合させることが可能になる。いくつかの実施形態において、フレキシブル波形は、通常波形に関してスケーリング係数Ｎを利用してスケーリングされ得る。スケーリング係数Ｎは、限定はしないが１、２、３、４、８などの整数値を含む、数多くの異なる値を取り得る。しかし、Ｎは、整数でなければならないわけではない。いくつかの場合において、帯域幅スケーリング係数と同じ数値を有していてもよい、チップレート分周器（Ｄｃｒ）が利用され得る。ただ単に例として、Ｎ＝２のフレキシブル帯域幅キャリアシステムは、通常通常帯域幅キャリアシステムまたはＮ＝１のフレキシブル帯域幅キャリアシステムの帯域幅の半分を占有するものとしてよい。たとえば、ユーザ機器１１５−ｃおよび／または１１５−ｄと基地局１０５−ｃとの間の送信３０５−ａ、３０５−ｂ、および／または３０５−ｃは、異なる帯域幅スケーリング係数Ｎを利用することができる。いくつかの場合において、キャリアおよび／または送信３０５は、変更できるが（異なる帯域幅スケーリング係数で）、同じ場所の基地局１０５−ｃとそのまま通信することができる。いくつかの場合において、基地局１０５−ｃとユーザ機器１１５−ｃとの間の送信３０５−ａは、帯域幅スケーリング係数を変えることができる。セット管理および／またはハンドオーバーは、同一の場所に置かれている（たとえば、異なるＮを持つ）キャリアおよび／または送信３０５および同一の場所に置かれていない可能性のある（たとえば、異なるＮを持つ）キャリアで実行され得る。システム３００は、マルチフローシステム（すなわち、複数のセルが１つのＵＥと同時に通信することができるシステム。セルは同じまたは異なるキャリア、および同じまたは異なる帯域幅を有することができる）、マルチキャリアシステム（すなわち、ＵＥが複数のセルを有するシステムに接続され、これらのセルの各々が同じまたは異なる帯域幅を持つ複数のキャリアを有するシステム）、デュアルセルシステム（すなわち、これはデュアルセルＵＭＴＳに類似し、セルが２つの異なるキャリア周波数を同時に使用してＵＥと通信することができ、２つのキャリアは同じ帯域幅を有するものとしてよい）、および／または補助的なダウンリンクおよび／またはアップリンクシステムの一部であってよい。セット管理は、これらのキャリアの組み合わせ上でも実行され得る。
【００５０】
いくつかの実施形態は、追加の用語を利用し得る。新しい単位Ｄが利用され得る。単位Ｄはディレーションである。この単位は無名数であり、値Ｎを有する。「ディレーション時間（dilated time）」に関してフレキシブルシステム内の時間を記述することができる。たとえば、通常時間においてたとえば１０ｍｓのスロットは、フレキシブル時間では１０Ｄｍｓと表すことができる（注意：通常時間であっても、これは、通常時間でＮ＝１なので真であり、Ｄは値１を有し、したがって１０Ｄｍｓ＝１０ｍｓである）。時間のスケーリングにおいて、大半の「秒」を「ディレーション秒（dilated-seconds）」で置き換えることができる。なお、ヘルツの周波数は１／ｓである。
【００５１】
上で説明されているように、フレキシブル波形は、通常波形に比べて小さい帯域幅を占有する波形とすることができる。したがって、フレキシブル帯域幅システムでは、同じ数のシンボルおよびビットが、通常帯域幅システムに比べてより長い存続時間にわたって送信され得る。この結果、時間が引き伸ばされ、したがって、スロット存続時間、フレーム存続時間などが、スケーリング係数Ｎで増大され得る。スケーリング係数Ｎは、通常帯域幅とフレキシブル帯域幅（ＢＷ）との比を表すものとしてよい。そこで、フレキシブル帯域幅システムにおけるデータ転送速度は、（通常転送速度×１／Ｎ）に等しく、遅延は（通常遅延×Ｎ）に等しいものとしてよい。一般に、フレキシブルシステムのチャネルＢＷ＝通常システムのチャネルＢＷ／Ｎである。遅延×ＢＷは変化せずそのままである。さらに、いくつかの実施形態では、フレキシブル波形は、通常波形に比べて大きい帯域幅を占有する波形とすることができる。
【００５２】
本明細書全体を通し、通常システム、サブシステム、および／または波形という用語は、１に等しいものとしてよいスケーリング係数（たとえば、Ｎ＝１）または通常もしくは標準チップレートを利用することができる実施形態を伴うシステム、サブシステム、および／または波形を指すために利用され得る。これらの通常システム、サブシステム、および／または波形は、標準および／またはレガシーシステム、サブシステム、および／または波形とも称され得る。さらに、フレキシブルシステム、サブシステム、および／または波形は、１に等しくなくてもよいスケーリング係数（たとえば、Ｎ＝２、３、４、８、１／２、１／４など）を利用し得る実施形態を伴うシステム、サブシステム、および／または波形を指すために利用され得る。Ｎ＞１に対して、またはチップレートが下げられる場合に、波形の帯域幅は減少し得る。いくつかの実施形態では、帯域幅を増大するスケーリング係数またはチップレートを利用することができる。たとえば、Ｎ＜１の場合、またはビットレートが上げられた場合、波形は、通常波形に比べて大きい帯域幅をカバーするように伸長され得る。フレキシブルシステム、サブシステム、および／または波形は、いくつかの場合において、フラクショナルシステム、サブシステム、および／または波形とも称され得る。フラクショナルシステム、サブシステム、および／または波形は、たとえば、帯域幅を変化させてもさせなくてもよい。フラクショナルシステム、サブシステム、または波形は、それが通常もしくは標準システム、サブシステム、または波形（たとえば、Ｎ＝１システム）に比べてより多くの可能性をもたらし得るのでフレキシブルであるものとしてよい。
【００５３】
フレキシブル波形は、通常波形に比べて小さい帯域幅を占有する波形を含み得る。たとえば、帯域端では、通常波形を配置するために十分な利用可能スペクトルがない場合がある。通常波形と異なり、通常波形とフレキシブル波形との間には部分的なまたは完全な重なりがあり得る。フレキシブル波形は、システム容量を高める可能性のあることに留意されたい。フレキシブル波形の重なりの程度と帯域幅との間にトレードオフの関係があり得る。この重なりは、さらなる干渉を引き起こし得る。実施形態は、方法、システム、および／またはデバイスを対象とし、干渉を低減することを目的とするものとしてよい。
【００５４】
次に図４を参照すると、ブロック図が様々な実施形態によるモビリティ管理手順を例示している。ブロック図４００の態様は、全体として、または一部だけ、様々なワイヤレス通信デバイスを利用して実装されるものとしてよく、これらは、限定はしないが、図１、図２、図３、図１３、および／または図１４に示されているような基地局１０５、図６Ａに示されているようなデバイス６００−ａ、図６Ｂに示されているようなデバイス６００−ｂ、図７のデバイス７００、図１、図２、図３、図１２、図１３、および／または図１４に示されているようなユーザ機器１１５、および／または図１および／または図１３に示されているようなコアネットワーク１３０および／または制御装置１２０を含む。ブロック４０５で、ネットワークは、ＵＥに支援情報を信号伝達して、モビリティ管理においてＵＥを支援することができる。ネットワークは、たとえば、隣接する利用可能なセルに関する支援情報をＵＥに信号伝達することができる。ブロック４１０で、１つまたは複数の帯域幅スケーリング係数Ｎまたはフレキシブル帯域幅などの帯域幅情報は、ＵＥで決定され得る。これは、探索手順の一部であってよい。たとえば、ＵＥは、自律的に、および／またはネットワークの助けを借りてセルまたはキャリアを探索することができる。セルは、フレキシブル帯域幅セルであってよく、キャリアは、フレキシブル帯域幅キャリアであってよい。いくつかの場合において、異なるフレキシブル帯域幅セルまたはキャリアに関連付けられている帯域幅スケーリング係数および／またはフレキシブル帯域幅は、たとえば、基地局を通じて、ネットワークからＵＥに信号伝達され得る。値Ｎまたは帯域幅がＵＥに信号伝達されない場合、ＵＥは、本明細書で説明されているような様々な手順を使用して１つまたは複数のセルに関連付けられている１つまたは複数の帯域幅スケーリング係数および／またはフレキシブル帯域幅を決定することができる。たとえば、多数のＮ個の仮説を試みることも可能である。ブロック４１５で、セット管理手順が実行され得る。たとえば、ＵＥでは、ブロック４２０に示されているようにさらなるハンドオーバーおよび再選択に使用される様々なモビリティセルセットを作成することができる。
【００５５】
実施形態は、様々なモビリティ管理シナリオを含み得る。フレキシブル帯域幅ＵＥは、たとえば、モビリティ手順を使用して、異なるモビリティシナリオに従って移行することができる。フレキシブル帯域幅ＵＥは、Ｎ＝ｘの帯域幅スケーリング係数を持つフレキシブル帯域幅キャリアまたはセルから、同じＮを持つ別のフレキシブル帯域幅キャリアまたはセルに移動することができる。これらのセルは、たとえば、同じキャリア周波数上に展開されるが、異なる識別（たとえば、ＰＳＣ）によって分離され得る。いくつかの実施形態において、２つのセルは異なるキャリア周波数上に展開することも可能である。フレキシブル帯域幅ＵＥは、Ｎ＝ｘを持つフレキシブル帯域幅キャリアまたはセルから、異なるＮ、Ｎ＝ｙを持つ別のフレキシブル帯域幅キャリアまたはセルに移動することができる。セルは両方とも、異なるキャリア周波数上に展開されてもよい。フレキシブル帯域幅ＵＥは、Ｎ＝ｘを持つフレキシブル帯域幅キャリアまたはセルから、たとえば、ＵＭＴＳおよび／またはＧＳＭセルなどの非フレキシブルまたはレガシーセルに移動することができる。同様に、ＵＥは、ＵＭＴＳおよび／またはＧＳＭなどの非フレキシブル帯域幅キャリアまたはセルからフレキシブル帯域幅キャリアまたはセルに移動することができる。セルは両方とも、異なるキャリア周波数上に展開されてもよい。いくつかの場合において、ＵＭＴＳおよび／またはＧＳＭさえるなどの非フレキシブル帯域幅キャリアもしくはセル、またはレガシーセル、およびフレキシブル帯域幅セルもしくはセルは、同一サイトに配置されるか、または異なるサイトに展開され得る。いくつかの実施形態において、ＵＥがフレキシブル帯域幅キャリアまたはセルに移動した後、これはたとえばＵＭＴＳネットワークなどの非フレキシブルネットワーク、またはレガシーネットワークで現在実行されているものとしてモビリティ手順を実行する（たとえば、登録メッセージ、位置エリア更新、ルーティングエリア更新などを送信する）ことができる。上記の例のいくつかは、ＵＭＴＳおよび／またはＧＳＭセルを含んでいるが、他の実施形態では、他の無線アクセス技術（ＲＡＴ）を利用することができる。フレキシブル帯域幅システムは、レガシーＲＡＴの拡張（またはモード）として取り扱われ得るか、またはいくつかの場合いおいて個別のＲＡＴとして取り扱われ得る。
【００５６】
図５は、単一キャリアセルに対するいくつかの異なるモビリティシナリオを含む表５００を示しているが、いくつかの実施形態では他のシナリオを利用することもできる。ハンドオーバー／再選択シナリオ５１０は、一方のキャリアから別のキャリアへの可能なＵＥの移動のいくつかの異なる事例を示しており、キャリアは、フレキシブル帯域幅キャリアおよび／または通常（またはレガシー）帯域幅キャリアであってよい。各々の事例に対する展開シナリオ５２０は、展開シナリオが周波数内、周波数間、および／またはＲＡＴ間であるかどうかを反映する。マルチキャリアまたはマルチフローシナリオを伴うモビリティオペレーションでは、システム内のセル／キャリアの各々は、図５に例示されている単一キャリアシナリオに類似のモビリティシナリオの適用を受け得る。たとえば、マルチキャリアシステムＡ（２つのキャリアを持つ）は、マルチキャリアシステムＢへのハンドオーバーを伴い得る（すなわち、キャリアＡ１はキャリアＢ１にハンドオーバーし、キャリアＡ２はキャリアＢ２にハンドオーバーし得る）。この場合、キャリアＡ１とＢ１との間、およびキャリアＡ２とＢ２との間のリンクは、図５の事例１から４に例示されているのと似たハンドオーバー状況に入る可能性がある。表５００の態様は、全体として、または一部だけ、様々なワイヤレス通信デバイスを利用して実装されるものとしてよく、これらは、限定はしないが、図１、図２、図３、図１３、および／または図１４に示されているような基地局１０５、図６Ａに示されているようなデバイス６００−ａ、図６Ｂに示されているようなデバイス６００−ｂ、図７のデバイス７００、図１、図２、図３、図１２、図１３、および／または図１４に示されているようなユーザ機器１１５、および／または図１および／または図１３に示されているようなコアネットワーク１３０および／または制御装置１２０を含む。
【００５７】
次に図６Ａを参照すると、ブロック図が様々な実施形態によるモビリティ管理のためのデバイス６００−ａを例示している。デバイス６００−ａは、図１、図２、図３、図１２、図１３および／または図１４を参照しつつ説明されているユーザ機器１１５のうちの１つまたは複数の態様の例とすることができる。デバイス６００−ａは、プロセッサとすることもできる。デバイス６００−ａは、受信機モジュール６０５、セット管理モジュール６１５、および／または送信機モジュール６１５を備えることができる。これらのコンポーネントの各々は、互いに通信し合うものとしてよい。
【００５８】
デバイス６００−ａのこれらのコンポーネントは、個別に、または集合的に、ハードウェア内の適用可能な機能のうちの一部または全部を実行するように適合された１つまたは複数の特定用途向け集積回路（ＡＳＩＣ）により実装され得る。あるいは、これらの機能は、１つまたは複数の集積回路上で、１つまたは複数の他の処理ユニット（またはコア）によって実行されてもよい。他の実施形態では、当技術分野で知られている任意の様式でプログラムされ得る他のタイプの集積回路（たとえば、構造化／プラットフォームＡＳＩＣ、フィールドプログラマブルゲートアレイ（ＦＰＧＡ）、および他のセミカスタムＩＣ）も使用され得る。各々のユニットの機能も、命令をメモリ内に具現化し、１つまたは複数の一般的なまたはアプリケーション特有のプロセッサによって実行されるようにフォーマットして、全体として、または一部だけ実装することもできる。
【００５９】
受信機モジュール６０５は、デバイス６００−ａが受信または送信した内容に関するパケット、データ、および／または信号伝達情報などの情報を受信することができる。受信された情報は、様々な目的のためにセット管理モジュール６１５によって利用され得る。
【００６０】
たとえば、セット管理モジュール６１５は、ワイヤレス通信システムの１つまたは複数のセルを識別するように構成され得る。各それぞれの識別されたセルに関連付けられているそれぞれの帯域幅スケーリング係数が識別され得る。セット管理モジュール６１５は、複数のセットを決定するように構成され得る。各それぞれのセットはそれぞれの帯域幅スケーリング係数のうちの１つに関連付けられ得る。セット管理モジュール６１５は、各それぞれの識別されたセルをそれぞれの関連付けられている帯域幅スケーリング係数に基づきそれぞれのセットのうちの１つに関連付けるように構成され得る。
【００６１】
セット管理モジュール６１５は、複数のセット内から候補セルを決定するようにさらに構成され得る。複数のセット内から候補セルを決定することは、少なくとも１つのサービングセルＩＤ、中心周波数、またはそれぞれの帯域幅スケーリング係数を利用することができる。候補セルは、最良のセルであると見なしてよい。１つまたは複数のオフセットが、セット管理モジュール６１５によって利用されるものとしてよく、それは１つまたは複数のセットに関して複数のセット内から候補セルを決定するように構成され得る。パワーオフセットは、いくつかの場合において利用され得る。
【００６２】
セット管理モジュール６１５は、複数のセットを決定するように構成されてもよく、それは複数のアクティブセットを決定することを含むことができ、各それぞれのアクティブセットはそれぞれの帯域幅スケーリング係数に関連付けられる。各それぞれのアクティブセットは、少なくとも１つのセルＩＤ、中心キャリア周波数、またはチャネル番号にさらに関連付けられ得る。セット管理モジュール６１５は、複数の帯域幅スケーリング係数を決定するように構成されてもよく、各それぞれの帯域幅スケーリング係数はアクティブセットに関連付けられる。セット管理モジュール６１５は、複数の帯域幅スケーリング係数に関連付けられている少なくとも１つのアクティブセットを決定するように構成され得る。
【００６３】
セット管理モジュール６１５は、複数のセットを決定するように構成されてもよく、それは複数の仮想アクティブセットを決定することを含むことができ、各それぞれの仮想アクティブセットはそれぞれの帯域幅スケーリング係数に関連付けられる。セット管理モジュール６１５は、複数の帯域幅スケーリング係数を決定するように構成されてもよく、各それぞれの帯域幅スケーリング係数は仮想アクティブセットに関連付けられる。セット管理モジュール６１５は、複数の帯域幅スケーリング係数に関連付けられている少なくとも１つの仮想アクティブセットを決定するように構成され得る。
【００６４】
セット管理モジュール６１５は、複数のセットを決定するように構成されてもよく、それは１つまたは複数の監視もしくは候補セットを決定すること含むことができ、各それぞれの監視もしくは候補セットはそれぞれの帯域幅スケーリング係数に関連付けられる。セット管理モジュール６１５は、複数の帯域幅スケーリング係数を決定するように構成されてもよく、各それぞれの帯域幅スケーリング係数は監視セットに関連付けられる。セット管理モジュール６１５は、複数の帯域幅スケーリング係数に関連付けられている少なくとも１つの監視セットを決定するように構成され得る。セット管理モジュール６１５は、複数のセットを決定するように構成されてもよく、それは１つまたは複数の検出もしくはネイバーセットを決定することを含むことができ、各それぞれの検出もしくはネイバーセットはそれぞれのスケーリング係数に関連付けられる。
【００６５】
セット管理モジュール６１５は、ワイヤレス通信システムの１つまたは複数のセルを識別するように構成されてもよく、それは１つまたは複数の識別されたセルの各々の信号強度または測定結果を判定することを含み得る。１つまたは複数の識別されたセルの各々の信号強度または測定結果が、決定された信号強度閾値または決定された測定閾値を超えるかどうかが判定され得る。セット管理モジュール６１５は、セルからの他の情報および統計量を使用することができる。そのような情報は、信号強度、チャネル電力、相対的チャネル電力、誤差率、誤差数などであってよい。さらに、閾値は、無線メッセージによって修正され得る。閾値は、帯域幅に関してマッピングまたは修正され得る。たとえば、１つのＮ＝１キャリアおよび１つのＮ＝２キャリアが同じ場所に配置され、同じパワースペクトル密度（ＰＳＤ）を伝送するシステムを取りあげる。他のすべてが等しいとして、２つのシステムの信号強度を比較するために、１／２ＢＷシステムに対する信号閾値をＮ＝１システムに関して３ｄＢスケーリングすることが可能である。
【００６６】
セット管理モジュール６１５は、複数のセット内から候補セルを決定するように構成されてもよく、それは第１のフレキシブル帯域幅キャリアと第２のフレキシブル帯域幅キャリアとの間のモビリティを円滑にすることができ、第１のフレキシブル帯域幅キャリアおよび第２の帯域幅キャリアは、同じ帯域幅スケーリング係数を利用する。セット管理モジュール６１５は、複数のセットから候補セルを決定するように構成されてもよく、それは第１のフレキシブル帯域幅キャリアと第２のフレキシブル帯域幅キャリアとの間のモビリティを円滑にすることができ、第１のフレキシブル帯域幅キャリアおよび第２の帯域幅キャリアは、異なる帯域幅スケーリング係数を利用する。セット管理モジュール６１５は、複数のセット内から候補セルを決定するように構成されてもよく、それは通常フレキシブル帯域幅キャリアとフレキシブル帯域幅キャリアとの間のモビリティを円滑にすることができる。
【００６７】
デバイス６００−ａは、ユーザ機器との同時通信を行うように構成された複数のセルを備えるワイヤレス通信システムの一部であってよく、各々のセルは、少なくとも１つの異なるキャリアまたは異なる帯域幅を利用する。いくつかの場合において、ワイヤレス通信システムは、ユーザ機器と接続するように構成された複数のセルを備えることができ、各々のセルは複数のキャリアを備える。ワイヤレス通信システムは、２つの異なるキャリア周波数を同時に利用してユーザ機器と通信するように構成されたセルを備える。
【００６８】
次に図６Ｂを参照すると、ブロック図が様々な実施形態によるモビリティ管理のためのデバイス６００−ｂを例示している。デバイス６００−ｂは、図１、図２、図３、図１２、図１３、および／または図１４を参照しつつ説明されているユーザ機器１１５の１つまたは複数の態様の一例とすることができる。デバイス６００−ｂは、プロセッサとすることもできる。デバイス６００−ａは、受信機モジュール６０５−ａ、セット管理モジュール６１５−ａ、および／または送信機モジュール６１５−ｂを備えることができる。セット管理モジュール６１５−ａは、仮想アクティブセット管理モジュール６１０、アクティブセット管理モジュール６１１、監視セット管理モジュール６１２、および／または検出セット管理モジュール６１３を含み得る。これらのコンポーネントの各々は、互いに通信し合うものとしてよい。システム６００−ｂは、図６Ａのデバイス６００−ａの一例としてよい。
【００６９】
デバイス６００−ｂのこれらのコンポーネントは、個別に、または集合的に、ハードウェア内の適用可能な機能のうちの一部または全部を実行するように適合された１つまたは複数の特定用途向け集積回路（ＡＳＩＣ）により実装され得る。あるいは、これらの機能は、１つまたは複数の集積回路上で、１つまたは複数の他の処理ユニット（またはコア）によって実行されてもよい。他の実施形態では、当技術分野で知られている任意の様式でプログラムされ得る他のタイプの集積回路（たとえば、構造化／プラットフォームＡＳＩＣ、フィールドプログラマブルゲートアレイ（ＦＰＧＡ）、および他のセミカスタムＩＣ）も使用され得る。各々のユニットの機能も、命令をメモリ内に具現化し、１つまたは複数の一般的なまたはアプリケーション特有のプロセッサによって実行されるようにフォーマットして、全体として、または一部だけ実装することもできる。
【００７０】
受信機モジュール６０５−ａは、デバイス６００−ｂが受信または送信した内容に関するパケット、データ、および／または信号伝達情報などの情報を受信することができる。受信された情報は、様々な目的のためにセット管理モジュール６１５−ａによって利用され得る。
【００７１】
たとえば、セット管理モジュール６１５−ａは、ワイヤレス通信システムの１つまたは複数のセルを識別するように構成され得る。各それぞれの識別されたセルに関連付けられているそれぞれの帯域幅スケーリング係数または帯域幅が識別され得る。セット管理モジュール６１５は、複数のセットを決定するように構成され得る。各それぞれのセットはそれぞれの帯域幅スケーリング係数のうちの１つに関連付けられ得る。セット管理モジュール６１５は、各それぞれの識別されたセルをそれぞれの関連付けられている帯域幅スケーリング係数に基づきそれぞれのセットのうちの１つに関連付けるように構成され得る。
【００７２】
アクティブセット（ＡＳ）管理モジュール６１１は、複数のセットを決定するように構成されてもよく、それは複数のアクティブセットを決定することを含むことができ、各それぞれのアクティブセットはそれぞれの帯域幅スケーリング係数に関連付けられる。仮想アクティブセット（ＶＡＳ）管理モジュール６１０は、複数のセットを決定するように構成されてもよく、それは複数の仮想アクティブセットを決定することを含むことができ、各それぞれの仮想アクティブセットはそれぞれの帯域幅スケーリング係数に関連付けられる。監視セット管理モジュール６１２は、複数のセットを決定するように構成されてもよく、それは１つまたは複数の監視もしくは候補セットを決定することを含むことができ、各それぞれの監視もしくは候補セットはそれぞれの帯域幅スケーリング係数に関連付けられる。検出セット管理モジュール６１３は、複数のセットを決定するように構成されてもよく、それは１つまたは複数の検出もしくはネイバーセットを決定することを含むことができ、各それぞれの検出もしくはネイバーセットはそれぞれのスケーリング係数に関連付けられる。
【００７３】
いくつかの場合において、ＶＡＳは、測定された周波数に対するものであってよいが、ＵＥがいくつかの場合においてその周波数に移ることを決定した場合に正しいセルを有するように使用されない。ＡＳは、いくつかの場合において現在使用されている周波数に対するものであってよい。ＶＡＳおよびＡＳは、異なるＢＷスケーリング係数を有することができ、スケーリング係数は各々のセット内で同じままである。各々のセットは、異なるスケーリング係数を持つセルを有することができる。現在使用されている周波数のＡＳは、ただ１つのＮまたは複数のＮセル／キャリアを有することができる。ＡＳ内の各々のセルは、ＵＥとの無線リンクを有することができる。ＡＳが１つのＮを持つセルのみを含み得る場合、周波数内の他のＮセルは、もしあれば（すなわち、Ｎは異なるが、チャネル番号は同じであるセル）は、個別のセット内に維持される必要があり得る。ＶＡＳは、たとえば、異なるＮに属す同じ周波数のセルに使用され得る。同じチャネル番号について異なるＮに対する異なるＶＡＳ、異なるチャネル番号について異なるＮに対するＶＡＳ、および／または異なるチャネル番号について同じＮに対するＶＡＳがあり得る。
【００７４】
いくつかの実施形態において、現在使用されている周波数がｉでありＮ＝Ｎ１である場合、周波数内、同じＮ  ＡＳ：  ＡＳ（Ｎ１，ｉ）、周波数内、異なるＮ  ＶＡＳ：  ＶＡＳ（Ｎ１以外のＮ，ｉ）、周波数間、同じＮ  ＶＡＳ：  ＶＡＳ（Ｎ１，ｊ）、ただし、ｊはｉと同じでなくてよい、および／または周波数間、異なるＮ  ＶＡＳ：  ＶＡＳ（Ｎ１以外のＮ，ｊ）、ただし、ｊはｉと同じでなくてよい、となる。
【００７５】
いくつかの実施形態において、異なるＮを持つ単一キャリア周波数内シナリオについて、セル情報は、ＡＳ内に格納することができ、ＡＳ内の各々のセルは関連付けられたＮを有する。現在のセルは、同じＮを持つＡＳ内のセルと無線リンクを有するだけであってよい。いくつかの実施形態は、周波数内、異なるＮ  ＡＳ：  ＡＳ（Ｎ１以外のＮ，ｉ）、を利用することができる。
【００７６】
マルチキャリアおよび／またはマルチフローシナリオでは、またはＡＳが同じ周波数上で複数のＮセルを含み得る場合、いくつかの実施形態に対して次のセットが利用され得る。周波数がｉおよびｊである場合、周波数内、同じＮ  ＡＳ：  ＡＳ（Ｎ１，ｉ）、周波数内、異なるＮ  ＡＳ：  ＡＳ（Ｎ１以外のＮ，ｉ）、周波数間、同じＮ  ＡＳ：  ＡＳ（Ｎ１，ｊ）、ただし、ｊはｉと同じでなくてよい、および／または周波数間、異なるＮ  ＡＳ：  ＡＳ（Ｎ１以外のＮ，ｊ）、ただし、ｊはｉと同じでなくてよい、となる。最後の２つのセットは、マルチキャリアおよびマルチフローシナリオに対するものとしてよい。
【００７７】
マルチキャリアおよび／またはマルチフローシナリオでは、マルチキャリアまたはマルチフローシナリオにおける各々のセルは、単一キャリアシナリオで説明されているような類似のセルセットを有することができる。この場合、各々のマルチキャリア／マルチフローセル（たとえば、ＩＤ  Ａ１、Ｎ＝Ｎ１、および周波数ｉを持つセル）は、たとえば、次のセット、周波数内、同じＮ  ＡＳ：  ＡＳ＿Ａ１（Ｎ１，ｉ）、周波数内、異なるＮ  ＶＡＳ：  ＶＡＳ＿Ａ１（Ｎ１以外のＮ，ｉ）、周波数内、異なるＮ  ＡＳ：  ＡＳ＿Ａ１（Ｎ１以外のＮ，ｉ）、周波数間、同じＮ  ＶＡＳ：  ＶＡＳ＿Ａ１（Ｎ１，ｊ）、ただし、ｊはｉと同じでなくてよい、および／または周波数間、異なるＮ  ＶＡＳ：  ＶＡＳ＿Ａ１（Ｎ１以外のＮ，ｊ）、ただし、ｊはｉと同じでなくてよい、を有することが可能である。これらの例では、ＡＳ＿Ａ１およびＶＡＳ＿Ａ１は、セルＡ１のアクティブセットを指し、ＶＡＳ＿Ａ１はセルＡ１の仮想アクティブセットを指すものとしてよい。
【００７８】
システム内のマルチキャリアおよび／またはマルチフローセルからのセルセット（たとえば、ＡＳおよびＶＡＳ）は、別々に維持されるか、または組み合わされて、いくつかの実施形態において、スーパーアクティブおよび仮想アクティブセットを形成することができる。これらが組み合わされる場合、スーパーＡＳおよびＶＡＳにおいて、セルＡ１に属すコンポーネントセットは、周波数内、同じＮ  ＡＳ：  ＡＳ（Ｎ１，ｉ，Ａ１）、周波数内、異なるＮ  ＶＡＳ：  ＶＡＳ（Ｎ１以外のＮ，ｉ，Ａ１）、または周波数内、異なるＮ  ＡＳ：  ＡＳ（Ｎ１以外のＮ，ｉ，Ａ１）、周波数間、同じＮ  ＶＡＳ：  ＶＡＳ（Ｎ１，ｊ，Ａ１）、ただし、ｊはＩと同じでなくてよい、および／または周波数間、異なるＮ  ＶＡＳ：  ＶＡＳ（Ｎ１以外のＮ，ｊ，Ａ１）、ただし、ｊはｉと同じでなくてよい、と表され得る。
【００７９】
次に図７を参照すると、ブロック図が様々な実施形態によるモビリティ管理のためのデバイス７００を例示している。デバイス７００は、図１、図２、図３、図１２、図１３、および／または図１４を参照しつつ説明されているユーザ機器１１５の１つまたは複数の態様の一例とすることができる。デバイス７００は、プロセッサとすることもできる。デバイス７００は、受信機モジュール６０５−ｂ、セル識別モジュール７１０、帯域幅スケーリング係数識別モジュール７１５、および／またはセット管理モジュール６１５−ｂ、および／または送信機モジュール６１５−ｂであってもよい。これらのコンポーネントの各々は、互いに通信し合うものとしてよい。システム７００は、図６Ａのデバイス６００−ａおよび／または図６Ｂのデバイス６００−ｂの一例としてよい。
【００８０】
デバイス７００のこれらのコンポーネントは、個別に、または集合的に、ハードウェア内の適用可能な機能のうちの一部または全部を実行するように適合された１つまたは複数の特定用途向け集積回路（ＡＳＩＣ）により実装され得る。あるいは、これらの機能は、１つまたは複数の集積回路上で、１つまたは複数の他の処理ユニット（またはコア）によって実行されてもよい。他の実施形態では、当技術分野で知られている任意の様式でプログラムされ得る他のタイプの集積回路（たとえば、構造化／プラットフォームＡＳＩＣ、フィールドプログラマブルゲートアレイ（ＦＰＧＡ）、および他のセミカスタムＩＣ）も使用され得る。各々のユニットの機能も、命令をメモリ内に具現化し、１つまたは複数の一般的なまたはアプリケーション特有のプロセッサによって実行されるようにフォーマットして、全体として、または一部だけ実装することもできる。
【００８１】
受信機モジュール６０５−ｂは、デバイス７００が受信または送信した内容に関するパケット、データ、および／または信号伝達情報などの情報を受信することができる。受信された情報は、様々な目的のためにセル識別モジュール７１０、帯域幅スケーリング係数識別モジュール７１５、および／またはセット管理モジュール６１５−ｂによって利用され得る。セット管理モジュール６１５−ｂは、図６Ａのセット管理モジュール６１５および／または図６Ｂのセット管理モジュール６１５−ａに関して説明されているような機能を実行することができる。
【００８２】
たとえば、セル識別モジュール７１０は、ワイヤレス通信システムの１つまたは複数のセルを識別するように構成され得る。帯域幅スケーリング係数識別モジュール７１５は、各それぞれの識別されたセルに関連付けられているそれぞれの帯域幅スケーリング係数が識別され得ることを決定するように構成され得る。セット管理モジュール６１５−ｂは、複数のセットを決定するように構成され得る。各それぞれのセットはそれぞれの帯域幅スケーリング係数のうちの１つに関連付けられ得る。セット管理モジュール６１５−ｂは、各それぞれの識別されたセルをそれぞれの関連付けられている帯域幅スケーリング係数に基づきそれぞれのセットのうちの１つに関連付けるように構成され得る。
【００８３】
セル識別モジュール７１０は、１つまたは複数の識別されたセルの各々の信号強度を判定することを通じてワイヤレス通信システムの１つまたは複数のセルを識別するように構成され得る。１つまたは複数の識別されたセルの各々の信号強度が、決定された信号強度閾値を超えるかどうかが判定され得る。セル識別モジュール７１０は、セルからの他の情報および統計量を使用することができる。そのような情報は、信号強度、チャネル電力、相対的チャネル電力、誤差率、誤差数などであってよい。さらに、閾値は、無線メッセージによって修正され得る。閾値は、帯域幅に関してマッピングまたは修正され得る。たとえば、１つのＮ＝１キャリアおよび１つのＮ＝２キャリアが同じ場所に配置され、同じパワースペクトル密度（ＰＳＤ）を伝送するシステムを取りあげる。他のすべてが等しいとして、２つのシステムの信号強度を比較するために、１／２ＢＷシステムに対する信号閾値をＮ＝１システムに関して３ｄＢスケーリングすることが可能である。
【００８４】
いくつかの実施形態では、セット管理を利用してモビリティ管理を円滑に行うことができる。たとえば、接続モードセットは、異なる状況において利用され得ることが知られている場合がある。たとえば、探索時にセルが測定され、識別された後、セルは、アクティブ／仮想アクティブまたは監視セットに配置され得る。検出セットは、ネットワークによって信号伝達されていないが、ＵＥによって発見されたセルから作ることができる。図８は、異なる形態のセットを反映するブロック図８００を示している。
【００８５】
様々な実施形態によるセット管理では、接続モード８０５に関して周波数内セル８１０および／または周波数内セル８３０を取り扱うことができる。すべての周波数内セルは、同じＮ（同じ帯域幅）を有することができるので、ＵＥは、ただ１つのアクティブセット８１５、１つの監視セット８２０、および／または１つの検出セット８２５を生成することができる。これは、たとえば、ＵＭＴＳで実行されるものと同じであってよい。いくつかの場合において、周波数内セルは、仮想アクティブセット８１６を、場合によっては各々のＮにつき１つ、有することができる。各々のセットは、すべてＮを有することができるか、または各々のセットの複数のインスタンスが、各々のＮにつき１つずつあり得る。監視セットからアクティブセットにセルを移動するためのトリガー条件は、フレキシブル帯域幅セルについて修正される必要がある場合がある（たとえば、セルオフセットはフラクショナル帯域幅セル、報告範囲について修正され得る、アクティブセットサイズはフレキシブル帯域幅展開について最適化され得る、など）。周波数間セルでは、複数の仮想アクティブセット８３５が作成され得る。１つの仮想アクティブセット８３５が、各々の一意的な周波数について作成され得る。対照的に、ただ１つの監視セット８４０および１つの検出セット８４５が、いくつかの場合において、周波数内、周波数間、およびＲＡＴ間セルの記録を付けるために使用され得る。フレキシブル帯域幅システムでは、異なる周波数が同じＮまたは異なるＮを有することができるので、ＵＥは、各々の周波数について仮想アクティブセットを生成することができるが、異なるＮを有し得る。ＵＥによって、監視および検出セットに属していると識別されたセルは、Ｎ値も含まれる適切なセットに追加され得る。
【００８６】
セル評価時に、フレキシブル帯域幅セルではフル帯域幅のＮ＝１システムに比べて送信電力が低い場合があるので異なるＮに属すセル間の公正な比較にオフセットが必要になることがある。図９は、仮想アクティブセット（ＶＡ）９１０−ａ、９１０−ｂ、．．．、９１０−ｓ、監視セット（Ｍ）９２０、および／または検出セット（Ｄ）９３０を含む、異なるセット間の遷移を反映し得る様々な実施形態によるセット図９００を示している。各々のＶＡは、それに関連付けられているスケーリング係数Ｎを、周波数とともに有することができることに留意されたい。いくつかの実施形態は、最良候補を選択することを含み得る。最良候補は、必ずしも、セルをアクティブセットにプロモートするかどうかを詳細に示す支配的パラメータであるとは限らない。たとえば、最良候補は、異なるＮに関するものであってもよく、したがって、その候補をプロモートすることで、異なるＮにおける現在のアクティブセットが取り除かれる。たとえば、Ｎ１において複数の候補があってもよいが、最良候補はＮ２にあり得る。ＵＥは、その周波数においてより「容認可能な」候補があり得るのでＮ１のアクティブセットを選択することができる。
【００８７】
［ＥＣＰ：一般化できるか？自由に言い回しを変更していただきたい。複数のＮのＶＡまたは同じＮの複数のＶＡを含む他のグループも可能である。］
図１０は、様々な実施形態によるセット図１０００を示す。セット図１０００は、フレキシブル帯域幅セルを使用するＣＤＭＡセット管理の一例を提示しているものとしてよい。フレキシブル帯域幅周波数間セルは、サービングセルと同じＮまたは異なるＮを有することができる。ユーザ機器またはＵＥは、各々の周波数についてアクティブセット（Ａ）１０１０を生成することができるが、異なるＮを有していてもよい。候補（Ｃ）セット（１０２０−ａ、１０２０−ｂ、１０２０−ｃ、１０２０−ｄ）、ネイバーセット（Ｎ）（１０３０−ａ、１０３０−ｂ、１０３０−ｃ、１０３０−ｄ）、および／または残存（Ｒ）セット（１０４０−ａ、１０４０−ｂ、１０４０−ｃ、１０４０−ｄ）は、Ｎ係数も識別して、セルを識別しているものとしてよい。他の実施形態は、より多い、またはより少ない、候補セット１０２０、ネイバーセット１０３０、および／または残存セット１０４０を含み得る。
【００８８】
ＤＯまたは１Ｘでは、アクティブセットは、異なる周波数からのセクタを有することができるが、ユーザ機器は、所定の周波数に属すアクティブセット内のすべてのセクタが閾値以下になってしまったときに異なる周波数に移行し得る。これは、特定の周波数へのスティッキネスを保証し得る。実施形態は、各々のＮに対するセット（たとえば、Ａ１０１０、Ｃ１０２０、Ｎ１０３０、Ｒ１０４０）を有することができる。異なるＮについてアクティブセットに含めることに対する適性基準は異なることがある。図１０に示されているように、アクティブセット内の異なるＮを持つセルは、別の実施形態を形成し得る。しかし、ＵＥは、それが属している周波数のＮ値を使用することができる。セル評価時に、フラクショナルＢＷセルでは同じ低い送信電力（すなわち、フルＢＷシステムと同じＰＳＤ）を有する場合があるので異なるＮに属すセル間の公正な比較にオフセットが利用され得る。異なるものがフレキシブル帯域幅ＵＥに送信され得る（ＵＥは、ときには、アクセス端末（ＡＴ）とも称され得る）。この情報は、限定はしないが、フルＢＷシステムのと異なる場合にＳＩＤ／ＮＩＤ（１ｘ）およびサブネットＩＤ（ＥＶ−ＤＯ）、チャネル情報−帯域クラス、チャネル番号など、ＰＮオフセット、フレキシブル帯域幅スケーリング係数（Ｎ）、および／または１９８０年１月６日から経過した相対的時間、または他の何らかの基準（時間が遅らさせる／ディレーションを生じる）を含むことができ、ＥＶ−ＤＯにおける同期メッセージは、絶対時間の代わりにこれを伝達する必要がある場合もある。
【００８９】
図１１は、ＵＥがＵＭＴＳセルであるセルＡからＮ＝４のフレキシブル帯域幅キャリアまたはセルであるセルＢに移行する一例を示す通信ダイアグラム１１００を示している。ＵＥがセルＢ上でアイドルモードに入っている可能性がある間、フレキシブル帯域幅キャリアまたはセル情報は、ＳＩＢ１１上でＵＥに信号伝達され得るが（たとえば、キャリア周波数、プライマリスクランブリングコード（ＰＳＣ）など）、セルＢ対するＮ値は、信号伝達され得ない。ＵＥは、スペクトル推定を使用してＮを判定することができ、セルＢに対してＮ情報を格納する。ＵＥは、スペクトル推定を使用してＮを判定することができ、セルＢに対してＮ情報を格納することができる。ＵＥは、データまたは音声接続についてセルＡとともに接続モードに遷移することができる。接続モードでは、ＵＥとネットワークとの間のリンクに信号強度の低下が生じた場合に、ネットワーク側では、圧縮ギャップをＵＥに送り、フレキシブル帯域幅キャリアまたはセルＢを測定するものとしてよい。セルＢはすでにアイドルモードで識別されている可能性があるため、Ｎおよびセルタイミングが知られており、したがって取得遅延は最小限に抑えられ得る。次いで、ＵＥは、セル上の信号強度を測定して、そのセル上で強い信号強度が検出される場合には当然のことながらセルを仮想アクティブセットに追加することができる。セルＢの信号強度が閾値より高い場合、周波数間イベントがトリガーされるものとしてよく、そこでＵＥは測定結果の報告をネットワークに送信する。ネットワークは、ネットワーク側でフレキシブル帯域幅キャリアまたはセルＢがセルＡよりもＵＥにふさわしいことを発見した場合に周波数間ハンドオーバーを指令することができる。ＵＥは、フレキシブル帯域幅キャリアまたはセルＢに合わせてチューニングすることができ、その位置でネットワークを更新することができる（たとえば、ＵＭＴＳネットワーク内で現在実行されているようなルーティングエリア更新（ＲＡＵ）または位置エリア更新（ＬＡＵ）を送信する）。通信ダイアグラム１１００の態様は、全体として、または一部だけ、様々なワイヤレス通信デバイスを利用して実装されるものとしてよく、これらは、限定はしないが、図１、図２、図３、図１３、および／または図１４に示されているような基地局１０５、図６Ａに示されているようなデバイス６００−ａ、図６Ｂに示されているようなデバイス６００−ｂ、図７のデバイス７００、図１、図２、図３、図１２、図１３、および／または図１４に示されているようなユーザ機器１１５、および／または図１および／または図１３に示されているようなコアネットワーク１３０および／または制御装置１２０を含む。
【００９０】
図１２は、様々な実施形態によりモビリティ管理を円滑にするように構成されたユーザ機器１１５−ｅのブロック図１２００である。ユーザ機器１１５−ｅは、パーソナルコンピュータ（たとえば、ラップトップコンピュータ、ネットブックコンピュータ、タブレットコンピュータ、など）、携帯電話、ＰＤＡ、デジタルビデオレコーダー（ＤＶＲ）、インターネットアプライアンス、ゲーム機、電子書籍リーダーなどの様々な構成のうちのどれかを取り得る。ユーザ機器１１５−ｅは、モバイルデバイスの動作を円滑にするため小型バッテリなどの内蔵電源（図示せず）を有することができる。いくつかの実施形態において、ユーザ機器１１５−ｅは、図１、図２、図３、図１２、図１３、および／または図１４に示されているようなユーザ機器１１５、および／または図６Ａのデバイス６００−ａ、図６Ｂのデバイス６００−ｂ、および／または図７のデバイス７００とすることができる。ユーザ機器１１５−ｅは、モードユーザ機器であってもよい。ユーザ機器１１５−ｅは、いくつかの場合においてワイヤレス通信デバイスと称され得る。
【００９１】
ユーザ機器１１５−ｅは、アンテナ１２４０と、トランシーバモジュール１２５０と、メモリ１２８０と、プロセッサモジュール１２７０とを備えることができ、各々、互いに直接的にまたは間接的に通信することができる（たとえば、１つまたは複数のバスを介して）。トランシーバモジュール１２５０は、上で説明されているように、１つまたは複数のネットワークと、アンテナ１２４０および／または１つまたは複数の有線もしくはワイヤレスリンクを介して、双方向通信するように構成される。たとえば、トランシーバモジュール１２５０は、図１、図２、図３、図１３、および／または図１４の基地局１０５と双方向通信するように構成され得る。トランシーバモジュール１２５０は、送信のためパケットを変調し、変調されたパケットをアンテナ１２４０に送り、アンテナ１２４０から受信されたパケットを復調するように構成されたモデムを備えることができる。ユーザ機器１１５−ｅは、単一のアンテナを備えることができるが、ユーザ機器１１５−ｅは、典型的には、複数のリンクに対して複数のアンテナ１２４０を備える。
【００９２】
メモリ１２８０は、ランダムアクセスメモリ（ＲＡＭ）およびリードオンリーメモリ（ＲＯＭ）を含むものとしてよい。メモリ１２８０は、命令を含むコンピュータ可読、コンピュータ実行可能ソフトウェアコード１２８５を格納することもでき、命令は実行されるとプロセッサモジュール１２７０に本明細書で説明されている様々な機能（たとえば呼処理、データベース管理、メッセージルーティングなど）を実行させるように構成されている。あるいは、ソフトウェア１２８５は、プロセッサモジュール１２７０によって直接的には実行可能でないが、（たとえば、コンパイルされ実行されたときに）コンピュータに本明細書で説明されている機能を実行させるように構成され得る。
【００９３】
プロセッサモジュール１２７０は、インテリジェントハードウェアデバイス、たとえば、Ｉｎｔｅｌ（登録商標）ＣｏｒｐｏｒａｔｉｏｎまたはＡＭＤ（登録商標）によって製造されたものなどの中央演算処理装置（ＣＰＵ）、マイクロコントローラ、特定用途向け集積回路（ＡＳＩＣ）を含み得る。プロセッサモジュール１２７０は、マイクロフォンを介してオーディオを受信し、オーディオを受信されたオーディオを表すパケット（たとえば、長さ３０ｍｓ）に変換し、オーディオパケットをトランシーバモジュール１２５０に供給し、ユーザが話しているかどうかを示す指示を送るように構成された音声エンコーダ（図示せず）を備えることができる。あるいは、エンコーダは、パケットをトランシーバモジュール１２５０に送るだけであり、ユーザが話しているかどうかを示す指示をパケットそれ自体が送ることを準備する、または差し控える／抑制することができる。
【００９４】
図１２のアーキテクチャによれば、ユーザ機器１１５−ｅは、通信管理モジュール１２６０をさらに備えることができる。通信管理モジュール１２６０は、他のユーザ機器１１５との通信を管理することができる。例として、通信管理モジュール１２６０は、バスを介してユーザ機器１１５−ｅの他のコンポーネントのうちの一部または全部と通信しているユーザ機器１１５−ｅの一コンポーネントであってよい。あるいは、通信管理モジュール１２６０の機能は、トランシーバモジュール１２５０の一コンポーネントとして、一コンピュータプログラム製品として、および／またはプロセッサモジュール１２７０の１つまたは複数の制御装置要素として実装され得る。
【００９５】
ユーザ機器１１５−ｅのコンポーネントは、図６Ａのデバイス６００−ａ、図６Ｂのデバイス６００−ｂ、および／または図７のデバイス７００に関して上で説明されている態様を実装するように構成することができ、簡単にするため、ここでは繰り返さない。たとえば、セル識別モジュール７１０−ａは、図７のセル識別モジュール７１０であってよい。帯域幅スケーリング係数識別モジュール７１５−ａは、図７の帯域幅スケーリング係数識別モジュール７１５であってよい。セット管理モジュール６１５−ｃは、図６Ａのセット管理モジュール６１５、図６Ｂのセット管理モジュール６１５−ａ、および／または図７のセット管理モジュール４１５−ｂであってよい。
【００９６】
ユーザ機器１１５−ｅは、スペクトル識別モジュール１２１５も備えることができる。スペクトル識別モジュール１２１５は、フレキシブル波形に利用可能なスペクトルを識別するために利用され得る。いくつかの実施形態において、ハンドオーバーモジュール１２２５は、一方の基地局から別の基地局へのユーザ機器１１５−ｅのハンドオーバー手順を実行するために利用され得る。たとえば、ハンドオーバーモジュール１２２５は、一方の基地局から別の基地局へのユーザ機器１１５−ｅのハンドオーバー手順を実行することができ、通常波形は、ユーザ機器１１５−ｅと基地局のうちの１つとの間で利用され、フレキシブル波形は、ユーザ機器と別の基地局との間で利用される。スケーリングモジュール１２１０は、フレキシブル波形を生成するようにチップレートをスケーリングし、および／または変更するために利用され得る。
【００９７】
いくつかの実施形態において、トランシーバモジュール１２５０は、アンテナ１２４０を用いて、ユーザ機器１１５−ｅの他の可能なコンポーネントとともに、フレキシブル波形および／またはスケーリング係数に関する情報をユーザ機器１１５−ｅから基地局またはコアネットワークに送信することができる。いくつかの実施形態において、トランシーバモジュール１２５０は、アンテナ１２４０を用いて、ユーザ機器１１５−ｅの他の可能なコンポーネントとともに、これらのデバイスまたはシステムがフレキシブル波形を利用できるように、フレキシブル波形および／またはスケーリング係数などの情報を基地局またはコアネットワークに送信することができる。
【００９８】
図１３は、様々な実施形態によりモビリティ管理を行うように構成され得る通信システム１３００のブロック図を示している。システム１３００は、図１に示されているシステム１００、図２のシステム２００、図３のシステム３００、および／または図１４のシステム１４００の態様の例であってよい。基地局１０５−ｅは、アンテナ１３４５と、トランシーバモジュール１３５０と、メモリ１３７０と、プロセッサモジュール１３６５とを備えることができ、各々、互いに直接的にまたは間接的に通信することができる（たとえば、１つまたは複数のバス上で）。トランシーバモジュール１３５０は、マルチモードユーザ機器であってもよい、ユーザ機器１１５−ｆと、アンテナ１３４５を介して双方向通信するように構成され得る。トランシーバモジュール１３５０（および／または基地局１０５−ｅの他のコンポーネント）も、１つまたは複数のネットワークと双方向通信するように構成され得る。いくつかの場合において、基地局１０５−ｅは、ネットワーク通信モジュール１３７５を通じてネットワーク１３０−ａおよび／または制御装置１２０−ａと通信することができる。基地局１０５−ｅは、ｅＮｏｄｅＢ基地局、Ｈｏｍｅ  ｅＮｏｄｅＢ基地局、ＮｏｄｅＢ基地局、および／またはＨｏｍｅ  ＮｏｄｅＢ基地局の一例とすることができる。制御装置１２０−ａは、ｅＮｏｄｅＢ基地局などと、いくつかの場合において基地局１０５−ｅ内に組み込むことができる。基地局１０５−ｅは、図１、図２、図３、および／または図１４に示されているような基地局１０５の一例とすることができる。ユーザ機器１１５−ｆは、図６Ａに示されているようなデバイス６００−ａ、図６Ｂに示されているようなデバイス６００−ｂ、図７のデバイス７００、および／または図１、図２、図３、図１２、および／または図１４に示されているようなユーザ機器１１５の一例とすることができる。
【００９９】
基地局１０５−ｅは、基地局１０５−ｍおよび基地局１０５−ｎなどの他の基地局１０５と通信することもできる。基地局１０５の各々は、異なる無線アクセス技術などの、異なるワイヤレス通信技術を使用してユーザ機器１１５−ｆと通信することができる。いくつかの場合において、基地局１０５−ｅは、基地局通信モジュール１３１５を利用して基地局１０５−ｍおよび／または１０５−ｎなどの他の基地局と通信することができる。いくつかの実施形態において、基地局通信モジュール１３１５は、ＬＴＥワイヤレス通信技術の範囲内のＸ２インターフェースを提供し、基地局１０５のうちのいくつかの間の通信を提供することができる。いくつかの実施形態において、基地局１０５−ｅは、制御装置１２０−ａおよび／またはネットワーク１３０−ａを通じて他の基地局と通信することができる。
【０１００】
メモリ１３７０は、ランダムアクセスメモリ（ＲＡＭ）およびリードオンリーメモリ（ＲＯＭ）を含むものとしてよい。メモリ１３７０は、命令を含むコンピュータ可読、コンピュータ実行可能ソフトウェアコード１３７１を格納することもでき、命令は実行されるとプロセッサモジュール１３６５に本明細書で説明されている様々な機能を実行させるように構成されている。あるいは、ソフトウェア１３７１は、プロセッサモジュール１３６５によって直接的には実行可能でないが、たとえば、コンパイルされ実行されたときに、コンピュータに本明細書で説明されている機能を実行させるように構成され得る。
【０１０１】
プロセッサモジュール１３６５は、インテリジェントハードウェアデバイス、たとえば、Ｉｎｔｅｌ（登録商標）ＣｏｒｐｏｒａｔｉｏｎまたはＡＭＤ（登録商標）などの中央演算処理装置（ＣＰＵ）、マイクロコントローラ、特定用途向け集積回路（ＡＳＩＣ）を含み得る。プロセッサモジュール１３６５は、マイクロフォンを介してオーディオを受信し、オーディオを受信されたオーディオを表すパケット（たとえば、長さ２０ｍｓ）に変換し、オーディオパケットをトランシーバモジュール１３５０に供給し、ユーザが話しているかどうかを示す指示を送るように構成された音声エンコーダ（図示せず）を備えることができる。あるいは、エンコーダは、パケットをトランシーバモジュール１３５０に送るだけであり、ユーザが話しているかどうかを示す指示をパケットそれ自体が送ることを準備する、または差し控える／抑制することができる。
【０１０２】
トランシーバモジュール１３５０は、送信のためパケットを変調し、変調されたパケットをアンテナ１３４５に送り、アンテナ１３４５から受信されたパケットを復調するように構成されたモデムを備えることができる。基地局１０５−ｅのいくつかの例は、単一のアンテナ１３４５を備え得るが、基地局１０５−ｅは、好ましくは、キャリアアグリゲーションをサポートすることができる複数のリンク用に複数のアンテナ１３４５を備える。たとえば、１つまたは複数のリンクが、ユーザ機器１１５−ｆとのマクロ通信をサポートするために使用され得る。
【０１０３】
図１３のアーキテクチャによれば、基地局１０５−ｅは、通信管理モジュール１３３０をさらに備えることができる。通信管理モジュール１３３０は、他の基地局１０５との通信を管理することができる。例として、通信管理モジュール１３３０は、バスを介して基地局１０５−ｅの他のコンポーネントのうちの一部または全部と通信している基地局１０５−ｅの一コンポーネントであってよい。あるいは、通信管理モジュール１３３０の機能は、トランシーバモジュール１３５０の一コンポーネントとして、一コンピュータプログラム製品として、および／またはプロセッサモジュール１３６５の１つまたは複数の制御装置要素として実装され得る。
【０１０４】
基地局１０５−ｅは、スペクトル識別モジュール１３１５も備えることができる。スペクトル識別モジュール１３１５は、フレキシブル波形に利用可能なスペクトルを識別するために利用され得る。いくつかの実施形態において、ハンドオーバーモジュール１３２５は、一方の基地局１０５から別の基地局へのユーザ機器１１５−ｆのハンドオーバー手順を実行するために利用することができる。たとえば、ハンドオーバーモジュール１３２５は、一方の基地局１０５−ｅから別の基地局へのユーザ機器１１５−ｆのハンドオーバー手順を実行することができ、通常波形は、ユーザ機器１１５−ｆと基地局のうちの１つとの間で利用され、フレキシブル波形は、ユーザ機器と別の基地局との間で利用される。スケーリングモジュール１３１０は、フレキシブル波形を生成するようにチップレートをスケーリングし、および／または変更するために利用され得る。
【０１０５】
いくつかの実施形態において、トランシーバモジュール１３５０は、アンテナ１３４５を用いて、基地局１０５−ｅの他の可能なコンポーネントとともに、フレキシブル波形および／またはスケーリング係数に関する情報を基地局１０５−ｅからユーザ機器１１５−ｆに、他の基地局１０５−ｍ／１０５−ｎに、またはコアネットワーク１３０−ａに送信することができる。いくつかの実施形態において、トランシーバモジュール１３５０は、アンテナ１３４５を用いて、基地局１０５−ｅの他の可能なコンポーネントとともに、これらのデバイスまたはシステムがフレキシブル波形を利用できるように、フレキシブル波形および／またはスケーリング係数などの情報をユーザ機器１１５−ｆに、他の基地局１０５−ｍ／１０５−ｎに、またはコアネットワーク１３０−ａに送信することができる。
【０１０６】
図１４は、様々な実施形態による基地局１０５−ｆとユーザ機器１１５−ｇとを含むシステム１４００のブロック図である。このシステム１４００は、図１のシステム１００、図２のシステム２００、図３のシステム３００、および／または図１３のシステム１３００の一例としてよい。基地局１０５−ｆは、アンテナ１４３４−ａから１４３４−ｘを装備することができ、ユーザ機器１１５−ｇは、アンテナ１４５２−ａから１４５２−ｎを装備することができる。基地局１０５−ｆにおいて、送信プロセッサ１４２０は、データソースからデータを受信するものとしてよい。基地局１０５−ｆは、図１、図２、図３、および／または図１３に示されているような基地局１０５の一例とすることができる。ユーザ機器１１５−ｇは、図６Ａに示されているようなデバイス６００−ａ、図６Ｂに示されているようなデバイス６００−ｂ、図７のデバイス７００、および／または図１、図２、図３、図１２、および／または図１３に示されているようなユーザ機器１１５の一例とすることができる。
【０１０７】
送信プロセッサ１４２０は、そのデータを処理することができる。送信プロセッサ１４２０は、基準シンボル、およびセル特有の基準信号も生成することができる。送信（ＴＸ）ＭＩＭＯプロセッサ１４３０は、該当する場合に、データシンボル、制御シンボル、および／または基準シンボルに対して空間的処理（たとえば、プリコーディング）を実行し、出力シンボルストリームを送信変調器１４３２−ａから１４３２−ｘに供給することができる。各々の変調器１４３２は、出力サンプルストリームを得るために、それぞれの出力シンボルストリーム（たとえば、ＯＦＤＭなどの）を処理することができる。各々の変調器１４３２は、その出力サンプルストリームを処理（たとえば、アナログ変換、増幅、フィルタリング、およびアップコンバート）して、ダウンリンク（ＤＬ）信号を取得することができる。一例において、変調器１４３２−ａから１４３２−ｘのＤＬ信号は、それぞれ、アンテナ１４３４−ａから１４３４−ｘを介して送信され得る。送信機プロセッサ１４２０は、プロセッサ１４４０から情報を受信することができる。プロセッサ１４４０は、チップレートを変更することおよび／またはスケーリング係数を利用することを通じてフレキシブル波形を生成するように構成することができ、これは、いくつかの場合において動的に行われ得る。プロセッサ１４４０は、異なるアライメントおよび／またはオフセット手順も備えることができる。プロセッサ１４４０は、スケーリングおよび／またはチップレート情報を利用して、他のサブシステムに対する測定を実行する、他のサブシステムへのハンドオフを実行する、再選択を実行するなども行える。プロセッサ１４４０は、パラメータスケーリングを通じてフレキシブル帯域幅の使用に関連付けられている時間引き伸ばしの効果を反転することができる。いくつかの実施形態において、プロセッサ１４４０は、汎用プロセッサ、送信機プロセッサ１４２０、および／または受信機プロセッサ１４３８の一部として実装され得る。
【０１０８】
ユーザ機器１１５−ｇにおいて、ユーザ機器アンテナ１４５２−ａから１４５２−ｎは、基地局１０５−ｆからＤＬ信号を受信することができ、また受信された信号を復調器１４５４−ａから１４５４−ｎにそれぞれ供給することができる。各々の復調器１４５４は、入力サンプルを取得するために、各受信された信号を調節（たとえば、フィルタリング、増幅、ダウンコンバート、およびデジタイズ）することができる。各々の復調器１４５４は、受信されたシンボルを取得するために、入力サンプル（たとえば、ＯＦＤＭなどの）をさらに処理することができる。ＭＩＭＯ検出器１４５６は、すべての復調器１４５４−ａから１４５４−ｎからの受信されたシンボルを取得し、該当する場合に受信されたシンボルに対してＭＩＭＯ検出を実行し、検出されたシンボルを供給することができる。受信プロセッサ１４５８は、検出されたシンボルを処理（たとえば、復調、逆インターリーブ、および復号化）し、ユーザ機器１１５−ｇに対する復号化されたデータをデータ出力に供給し、復号化された制御情報をプロセッサ１４８０、またはメモリ１４８２に供給することができる。
【０１０９】
アップリンク（ＵＬ）のときに、ユーザ機器１１５−ｇにおいて、送信機プロセッサ１４６４は、データソースからデータを受信して処理することができる。送信機プロセッサ１４６４は、基準信号に対する基準シンボルを生成することもできる。送信機プロセッサ１４６４からのシンボルは、該当する場合に送信ＭＩＭＯプロセッサ１４６６によってプリコーディングされ、復調器１４５４−ａから１４５４−ｎ（たとえば、ＳＣ−ＦＤＭＡなどの）によってさらに処理され、基地局１０５−ｆから受信された送信パラメータに従って基地局１０５−ｆに送信され得る。送信機プロセッサ１４６４も、チップレートを変更することおよび／またはスケーリング係数を利用することを通じてフレキシブル波形を生成するように構成することができ、これは、いくつかの場合において動的に行われ得る。送信機プロセッサ１４６４は、プロセッサ１４８０から情報を受信することができる。プロセッサ１４８０は、異なるアライメントおよび／またはオフセット手順を備えることができる。プロセッサ１４８０は、スケーリングおよび／またはチップレート情報を利用して、他のサブシステムに対する測定を実行する、他のサブシステムへのハンドオフを実行する、再選択を実行するなども行える。プロセッサ１４８０は、パラメータスケーリングを通じてフレキシブル帯域幅の使用に関連付けられている時間引き伸ばしの効果を反転することができる。基地局１０５−ｆにおいて、ユーザ機器１１５−ｇからのＵＬ信号は、アンテナ１４３４によって受信され、復調器１４３２によって処理され、該当する場合にＭＩＭＯ検出器１４３６によって検出され、受信プロセッサによってさらに処理され得る。受信プロセッサ１４３８は、復号化されたデータをデータ出力およびプロセッサ１４８０に供給することができる。いくつかの実施形態において、プロセッサ１４８０は、汎用プロセッサ、送信機プロセッサ１４６４、および／または受信機プロセッサ１４５８の一部として実装され得る。
【０１１０】
いくつかの実施形態において、プロセッサ１４８０は、モビリティ管理用に構成される。たとえば、プロセッサ１４８０は、セット管理を含む、モビリティ管理用に構成され得る。そのようなセット管理では、いくつかの実施形態は、帯域幅スケーリング係数Ｎの値に基づく周波数内セット管理と周波数間セット管理とを含む。プロセッサ１４８０は、ワイヤレス通信システム１４００の１つまたは複数のセルを識別するように構成され得る。各それぞれの識別されたセルに関連付けられているそれぞれの帯域幅スケーリング係数が識別され得る。プロセッサ１４８０は、複数のセットを決定するように構成され得る。各それぞれのセットはそれぞれの帯域幅スケーリング係数のうちの１つに関連付けられ得る。プロセッサ１４８０は、各それぞれの識別されたセルをそれぞれの関連付けられている帯域幅スケーリング係数に基づきそれぞれのセットのうちの１つに関連付けるように構成され得る。
【０１１１】
図１５Ａを参照すると示されているのは、様々な実施形態によるワイヤレス通信システムに対するモビリティ管理のための方法１５００−ａの流れ図である。方法１５００−ａは、様々なワイヤレス通信デバイスを利用して実装されるものとしてよく、これらは、限定はしないが、図１、図２、図３、図１２、図１３、および／または図１４に示されているようなユーザ機器１１５、および／または図６Ａのデバイス６００−ａ、図６Ｂのデバイス６００−ｂ、および／または図７のデバイス７００を含む。
【０１１２】
ブロック１５０５で、ワイヤレス通信システムの１つまたは複数のセルが識別され得る。ブロック１５１０で、各それぞれの識別されたセルに関連付けられているそれぞれの帯域幅スケーリング係数が識別され得る。ブロック１５１５で、複数のセットが決定され得る。各それぞれのセットはそれぞれの帯域幅スケーリング係数のうちの１つに関連付けられ得る。ブロック１５２０で、各それぞれの識別されたセルは、それぞれの関連付けられている帯域幅スケーリング係数に基づきそれぞれのセットのうちの１つに関連付けられ得る。
【０１１３】
方法１５００−ａのいくつかの実施形態は、複数のセット内から候補セルを決定することを含む。複数のセット内から候補セルを決定することは、少なくとも１つのサービングセルＩＤ、中心周波数、またはそれぞれの帯域幅スケーリング係数を利用することができる。 候補セルは、最良のセルであると見なしてよい。１つまたは複数のオフセットは、１つまたは複数のセットに関して複数のセット内から候補セルを決定するために利用され得る。パワーオフセットは、いくつかの場合において利用され得る。
【０１１４】
複数のセットを決定することは、複数のアクティブセットを決定することを含むことができ、各それぞれのアクティブセットはそれぞれの帯域幅スケーリング係数に関連付けられる。各それぞれのアクティブセットは、少なくとも１つのセルＩＤ、中心キャリア周波数、またはチャネル番号にさらに関連付けられ得る。いくつかの実施形態は、複数の帯域幅スケーリング係数を決定することを含み、各それぞれの帯域幅スケーリング係数はアクティブセットに関連付けられる。いくつかの実施形態は、複数の帯域幅スケーリング係数に関連付けられている少なくとも１つのアクティブセットを決定することを含む。
【０１１５】
複数のセットを決定することは、複数の仮想アクティブセットを決定することを含むことができ、各それぞれの仮想アクティブセットはそれぞれの帯域幅スケーリング係数に関連付けられる。いくつかの実施形態は、複数の帯域幅スケーリング係数を決定することを含み、各それぞれの帯域幅スケーリング係数は仮想アクティブセットに関連付けられる。いくつかの実施形態は、複数の帯域幅スケーリング係数に関連付けられている少なくとも１つの仮想アクティブセットを決定することを含む。
【０１１６】
複数のセットを決定することは、１つまたは複数の監視もしくは候補セットを決定することを含むことができ、各それぞれの監視もしくは候補セットはそれぞれの帯域幅スケーリング係数に関連付けられる。複数のセットを決定することは、１つまたは複数の検出もしくはネイバーセットを決定することを含むことができ、各それぞれの検出もしくはネイバーセットはそれぞれのスケーリング係数に関連付けられる。いくつかの実施形態は、複数の帯域幅スケーリング係数を決定することを含み、各それぞれの帯域幅スケーリング係数は候補セットの少なくとも監視セットに関連付けられる。いくつかの実施形態は、複数の帯域幅スケーリング係数に関連付けられている少なくとも監視セットまたは候補セットを決定することを含む。
【０１１７】
ワイヤレス通信システムの１つまたは複数のセルを識別することは、１つまたは複数の識別されたセルの各々の信号強度または測定結果を判定することを含み得る。１つまたは複数の識別されたセルの各々の信号強度または測定結果が、決定された信号強度閾値または決定された測定閾値を超えるかどうかが判定され得る。識別されたセルからの他の情報および統計量も利用され得る。そのような情報は、信号強度、チャネル電力、相対的チャネル電力、誤差率、誤差数などであってよい。さらに、閾値は、無線メッセージによって修正され得る。閾値は、帯域幅に関してマッピングまたは修正され得る。たとえば、１つのＮ＝１キャリアおよび１つのＮ＝２キャリアが同じ場所に配置され、同じパワースペクトル密度（ＰＳＤ）を伝送するシステムを取りあげる。他のすべてが等しいとして、２つのシステムの信号強度を比較するために、１／２ＢＷシステムに対する信号閾値をＮ＝１システムに関して３ｄＢスケーリングすることが可能である。
【０１１８】
複数のセット内から候補セルを決定することは、第１のフレキシブル帯域幅キャリアと第２のフレキシブル帯域幅キャリアとの間のモビリティを円滑にすることができ、第１のフレキシブル帯域幅キャリアおよび第２の帯域幅キャリアは、同じ帯域幅スケーリング係数を利用する。複数のセットから候補セルを決定することは、第１のフレキシブル帯域幅キャリアと第２のフレキシブル帯域幅キャリアとの間のモビリティを円滑にすることができ、第１のフレキシブル帯域幅キャリアおよび第２の帯域幅キャリアは、異なる帯域幅スケーリング係数を利用する。複数のセット内から候補セルを決定することは、これは通常フレキシブル帯域幅キャリアとフレキシブル帯域幅キャリアとの間のモビリティを円滑にすることができる。
【０１１９】
方法１５００−ａは、ユーザ機器との同時通信を行うように構成された複数のセルを備え得るワイヤレス通信システムとともに利用されるものとしてよく、各々のセルは、少なくとも１つの異なるキャリアまたは異なる帯域幅を利用する。いくつかの実施形態において、ワイヤレス通信システムは、ユーザ機器と接続するように構成された複数のセルを備え、各々のセルは複数のキャリアを備える。いくつかの実施形態において、ワイヤレス通信システムは、２つの異なるキャリア周波数を同時に利用してユーザ機器と通信するように構成されたセルを備えることができる。
【０１２０】
図１５Ｂを参照すると示されているのは、様々な実施形態によるワイヤレス通信システムに対するモビリティ管理のための方法１５００−ｂの流れ図である。方法１５００−ａは、様々なワイヤレス通信デバイスを利用して実装されるものとしてよく、これらは、限定はしないが、図１、図２、図３、図１２、図１３、および／または図１４に示されているようなユーザ機器１１５、および／または図６Ａのデバイス６００−ａ、図６Ｂのデバイス６００−ｂ、および／または図７のデバイス700を含む。方法１５００−ｂは、図１５Ａの方法１５００−ａの一例としてよい。
【０１２１】
ブロック１５０５−ａで、ワイヤレス通信システムの１つまたは複数のセルが識別され得る。ブロック１５１０−ａで、各それぞれの識別されたセルに関連付けられているそれぞれの帯域幅スケーリング係数が識別され得る。ブロック１５１５−ａで、仮想セット、アクティブセット、監視セット、および／または検出セットが判定され得る。各それぞれのセットはそれぞれの帯域幅スケーリング係数のうちの１つに関連付けられ得る。ブロック１５２０−ａで、各それぞれの識別されたセルは、それぞれの関連付けられている帯域幅スケーリング係数に基づきそれぞれのセットのうちの１つに関連付けられ得る。ブロック１５２５で、複数のセット内からの候補セルが決定され得る。候補セルは、最良のセルであると見なしてよい。１つまたは複数のオフセットは、１つまたは複数のセットに関して複数のセット内から候補セルを決定するために利用され得る。
【０１２２】
添付図面に関連して上で述べた詳細な説明は、例示的な実施形態を記述しているであって、実装できる、または請求項の範囲内にある、唯一の実施形態を表すものではない。本明細書全体を通して使用されている「例示的」という言い回しは、「例、場合、または実例として役立つ」ことを意味し、「好ましい」または「他の実施形態よりも有利である」ことを意味しない。詳細な説明は、説明されている技術の理解が得られるようにすることを目的とする具体的詳細を含む。しかし、これらの技術は、これらの具体的詳細がなくても実施され得る。いくつかの場合において、説明されている実施形態の概念をわかりにくくするのを避けるため、よく知られている構造およびデバイスはブロック図形式で示されている。
【０１２３】
情報および信号は、様々な異なる技術と技法とを使用して表すことができる。たとえば、上の説明全体を通して参照されていると思われるデータ、命令、コマンド、情報、信号、ビット、シンボル、およびチップは、電圧、電流、電磁波、磁場または磁気粒子、光場または光粒子、これらの組み合わせにより表すことができる。
【０１２４】
本明細書の開示に関して説明されている様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラム可能論理デバイス、ディスクリートゲートまたはトランジスタロジック、ディスクリートハードウェアコンポーネント、または本明細書で説明されている機能を実行するように設計されているこれらの任意の組み合わせにより実装または実行することができる。汎用プロセッサは、マイクロプロセッサであってよいが、代替として、プロセッサは、任意の従来のプロセッサ、コントローラ、マイクロコントローラ、または状態機械であってよい。プロセッサは、コンピューティングデバイスの組み合わせ、たとえば、ＤＳＰとマイクロプロセッサの組み合わせ、複数のマイクロプロセッサ、ＤＳＰコアと連携する１つまたは複数のマイクロプロセッサ、または他のそのような構成としても実装され得る。
【０１２５】
本明細書で説明されている機能は、ハードウェア、プロセッサによって実行されるソフトウェア、ファームウェア、またはこれらの組み合わせで実装することができる。プロセッサによって実行されるソフトウェアで実装された場合、これらの機能は、コンピュータ可読媒体上で１つまたは複数の命令もしくはコードとして格納または送信され得る。他の例および実装は、本開示および付属の請求項の範囲および精神のうちにある。たとえば、ソフトウェアの性質により、上で説明されている機能は、プロセッサによって実行されるソフトウェア、ハードウェア、ファームウェア、ハード配線、またはこれらの組み合わせを使用して実装することができる。機能を実装する特徴は、機能の一部が異なる物理的ロケーションで実装されるように分散されることを含めて、様々な位置に物理的に配置することもできる。また、本明細書で使用されているように、請求項に、「のうちの少なくとも１つ」が後に続く項目の列挙の中で使用されるような「または」を含めることは、たとえば、「Ａ、Ｂ、またはＣのうちの少なくとも１つ」という列挙がＡまたはＢまたはＣまたはＡＢまたはＡＣまたはＢＣまたはＡＢＣ（すなわち、ＡおよびＢおよびＣ）を意味するような離接的列挙を示す。
【０１２６】
コンピュータ可読媒体は、一方の場所から別の場所へのコンピュータプログラムの転送を容易にする媒体を含むコンピュータ記憶媒体と通信媒体の両方を含む。記憶媒体は、汎用または専用コンピュータによってアクセスされ得る利用可能な任意の媒体とすることができる。例として、限定はしないが、コンピュータ可読媒体は、ＲＡＭ、ＲＯＭ、ＥＥＰＲＯＭ（登録商標）、ＣＤ−ＲＯＭ、または他の光ディスク記憶装置、磁気ディスク記憶装置、または他の磁気記憶デバイス、または命令もしくはデータ構造体の形態で所望のプログラムコード手段を搬送または格納するために使用することができ、また汎用もしくは専用コンピュータまたは汎用もしくは専用プロセッサによってアクセスできる他の媒体を備えることができる。また、任意の接続を、コンピュータ可読媒体と呼んで差し支えない。たとえば、ソフトウェアが同軸ケーブル、光ファイバケーブル、ツイストペア線、デジタル加入者回線（ＤＳＬ）、または赤外線、ラジオ、およびマイクロ波などのワイヤレス技術を使用してウェブサイト、サーバ、または他のリモートソースから送信される場合、同軸ケーブル、光ファイバケーブル、ツイストペア線、ＤＳＬ、または赤外線、ラジオ、およびマイクロ波などのワイヤレス技術は、媒体の定義に含まれる。本明細書で使用されているような、「Ｄｉｓｋ」（ディスク）と「Ｄｉｓｃ」（ディスク）は、コンパクトディスク（ＣＤ）とレーザーディスク（登録商標）と光ディスクとデジタル多用途ディスク（ＤＶＤ）とフロッピー（登録商標）ディスクとｂｌｕ−ｒａｙ（登録商標）ディスクとを含み、「Ｄｉｓｋ」は通常磁気的にデータを再現し、「Ｄｉｓｃ」はレーザーを使って光学的にデータを再現する。上記の組み合わせも、コンピュータ可読媒体の範囲内に含まれる。
【０１２７】
本開示の前記の説明は、当業者が本開示内容を製作または使用することができるようにするために提示されている。開示に対し様々な修正を加えられることは、当業者であればたやすく理解できるであろうし、また本明細書で定義されている一般原理は、本開示の精神または範囲から逸脱することなく他の変更形態にも適用することができる。本開示全体を通して、「例」または「例示的」という言い回しは、例または事例を示し、指示されている例が優先することを暗示することも要求することもしない。そのため、本開示は、本明細書で説明されている実施例および設計に限定されず、本明細書で開示されている原理および新規性のある特徴と一致する最も広い範囲を適用されるものとする。
【図１】
2014533069.tif 000003
【図２Ａ】
2014533069.tif 000004
【図２Ｂ】
2014533069.tif 000005
【図３】
2014533069.tif 000006
【図４】
2014533069.tif 000007
【図５】
2014533069.tif 000008
【図６Ａ】
2014533069.tif 000009
【図６Ｂ】
2014533069.tif 000010
【図７】
2014533069.tif 000011
【図８】
2014533069.tif 000012
【図９】
2014533069.tif 000013
【図１０】
2014533069.tif 000014
【図１１】
2014533069.tif 000015
【図１２】
2014533069.tif 000016
【図１３】
2014533069.tif 000017
【図１４】
2014533069.tif 000018
【図１５Ａ】
2014533069.tif 000019
【図１５Ｂ】
2014533069.tif 000020
【国際調査報告】
2014533069.tif 000021
2014533069.tif 000022
2014533069.tif 000023
2014533069.tif 000024
2014533069.tif 000025